(57)【要約】【課題】副走査方向の最小解像度分の送り量の範囲で副走査方向側に原稿が照明されない期間が生じないようにして、読取画像データの欠落を防止する。【解決手段】一対のＬＥＤランプ２６ａ，２６ｂと、一対のＬＥＤランプ２６ａ，２６ｂを両端部に有し、これらＬＥＤランプ２６ａ，２６ｂから発せられた光を導光することで原稿を照射する導光手段と、導光手段により光を照射された原稿からの反射光を画像信号に変換する光電変換手段と、一方のＬＥＤランプ２６ａ（２７Ｒ，２７Ｇ，２７Ｂ）は終了基準でデューティ調整をし、他方のＬＥＤランプ２６ｂ（２８Ｒ，２８Ｇ，２８Ｂ）は先頭基準でデューティ調整をする制御手段とを備える。【選択図】  図１３
2007194817.tif 000002
【特許請求の範囲】
【請求項１】
一対のＬＥＤランプと、
前記一対のＬＥＤランプを有し、これらＬＥＤランプから発せられた光を導光することで原稿を照射する導光手段と、
前記導光手段により光を照射された原稿からの反射光を画像信号に変換する光電変換手段と、
一方のＬＥＤランプは終了基準でデューティ調整をし、他方のＬＥＤランプは先頭基準でデューティ調整をする制御手段と
を備えることを特徴とする画像読取装置。
【請求項２】
前記一方のＬＥＤランプおよび前記他方のＬＥＤランプは、赤，緑，青のＬＥＤチップをそれぞれ有する請求項１記載の画像読取装置。
【請求項３】
前記制御手段は、パルス幅変調信号が入力される第１電流調整回路と、前記第１電流調整回路に接続された前記一方のＬＥＤランプに含まれる赤，緑，青のＬＥＤチップと、パルス幅変調信号が入力される第２電流調整回路と、前記第２電流調整回路に接続された前記他方のＬＥＤランプに含まれる赤，緑，青のＬＥＤチップと、前記一方のＬＥＤランプおよび前記他方のＬＥＤランプに含まれる赤のＬＥＤチップに接続された第１制御スイッチ素子と、前記一方のＬＥＤランプおよび前記他方のＬＥＤランプに含まれる緑のＬＥＤチップに接続された第２制御スイッチ素子と、前記一方のＬＥＤランプおよび前記他方のＬＥＤランプに含まれる青のＬＥＤチップに接続された第３制御スイッチ素子とを備える請求項２記載の画像読取装置。
【請求項４】
前記制御手段は、パルス幅変調信号が入力される第１電流調整回路と、前記第１電流調整回路に接続された前記一方のＬＥＤランプに含まれる赤，緑，青のＬＥＤチップと、パルス幅変調信号が入力される第２電流調整回路と、前記第２電流調整回路に接続された前記他方のＬＥＤランプに含まれる赤，緑，青のＬＥＤチップと、前記一方のＬＥＤランプに含まれる赤のＬＥＤチップに接続された第１制御スイッチ素子と、前記一方のＬＥＤランプに含まれる緑のＬＥＤチップに接続された第２制御スイッチ素子と、前記一方のＬＥＤランプに含まれる青のＬＥＤチップに接続された第３制御スイッチ素子と、前記他方のＬＥＤランプに含まれる赤のＬＥＤチップに接続された第４制御スイッチ素子と、前記他方のＬＥＤランプに含まれる緑のＬＥＤチップに接続された第５制御スイッチ素子と、前記他方のＬＥＤランプに含まれる青のＬＥＤチップに接続された第６制御スイッチ素子とを備える請求項２記載の画像読取装置。
【請求項５】
前記制御手段は、パルス幅変調信号が入力される電流調整回路と、前記電流調整回路に接続された前記一方のＬＥＤランプに含まれる赤，緑，青のＬＥＤチップと、前記電流調整回路に接続された前記他方のＬＥＤランプに含まれる赤，緑，青のＬＥＤチップと、前記一方のＬＥＤランプに含まれる赤のＬＥＤチップに接続された第１制御スイッチ素子と、前記一方のＬＥＤランプに含まれる緑のＬＥＤチップに接続された第２制御スイッチ素子と、前記一方のＬＥＤランプに含まれる青のＬＥＤチップに接続された第３制御スイッチ素子と、前記他方のＬＥＤランプに含まれる赤のＬＥＤチップに接続された第４制御スイッチ素子と、前記他方のＬＥＤランプに含まれる緑のＬＥＤチップに接続された第５制御スイッチ素子と、前記他方のＬＥＤランプに含まれる青のＬＥＤチップに接続された第６制御スイッチ素子とを備える請求項２記載の画像読取装置。
【請求項６】
前記制御手段は、パルス幅変調信号が入力される第１電流調整回路と、前記第１電流調整回路に接続された赤のＬＥＤチップと、パルス幅変調信号が入力される第２電流調整回路と、前記第２電流調整回路に接続された緑のＬＥＤチップと、パルス幅変調信号が入力される第３電流調整回路と、前記第３電流調整回路に接続された青のＬＥＤチップと、前記一方のＬＥＤランプに含まれる赤，緑，青のＬＥＤチップに接続された第１制御スイッチ素子と、前記他方のＬＥＤランプに含まれる赤，緑，青のＬＥＤチップに接続された第２制御スイッチ素子とを備える請求項２記載の画像読取装置。
【請求項７】
前記制御手段は、パルス幅変調信号が入力される第１電流調整回路と、前記第１電流調整回路に接続された赤のＬＥＤチップと、パルス幅変調信号が入力される第２電流調整回路と、前記第２電流調整回路に接続された緑のＬＥＤチップと、パルス幅変調信号が入力される第３電流調整回路と、前記第３電流調整回路に接続された青のＬＥＤチップと、パルス幅変調信号が入力される第４電流調整回路と、前記第４電流調整回路に接続された赤のＬＥＤチップと、パルス幅変調信号が入力される第５電流調整回路と、前記第５電流調整回路に接続された緑のＬＥＤチップと、パルス幅変調信号が入力される第６電流調整回路と、前記第６電流調整回路に接続された青のＬＥＤチップと、前記一方のＬＥＤランプに含まれる赤，緑，青のＬＥＤチップに接続された第１制御スイッチ素子と、前記他方のＬＥＤランプに含まれる赤，緑，青のＬＥＤに接続された第２制御スイッチ素子とを備える請求項２記載の画像読取装置。
【請求項８】
前記制御手段は、パルス幅変調信号が入力される第１電流調整回路と、前記第１電流調整回路に接続された赤のＬＥＤチップと、パルス幅変調信号が入力される第２電流調整回路と、前記第２電流調整回路に接続された緑のＬＥＤチップと、パルス幅変調信号が入力される第３電流調整回路と、前記第３電流調整回路に接続された青のＬＥＤチップと、パルス幅変調信号が入力される第４電流調整回路と、前記第４電流調整回路に接続された赤のＬＥＤチップと、パルス幅変調信号が入力される第５電流調整回路と、前記第５電流調整回路に接続された緑のＬＥＤチップと、パルス幅変調信号が入力される第６電流調整回路と、前記第６電流調整回路に接続された青のＬＥＤチップと、前記一方のＬＥＤランプに含まれる赤，緑，青のＬＥＤチップおよび前記他方のＬＥＤランプに含まれる赤，緑，青のＬＥＤチップに接続された制御スイッチ素子とを備える請求項２記載の画像読取装置。
【請求項９】
一対のＬＥＤランプと、前記一対のＬＥＤランプを有し、これらＬＥＤランプから発せられた光を導光することで原稿を照射する導光手段と、前記導光手段により光を照射された原稿からの反射光を画像信号に変換する光電変換手段とを備える画像読取装置の光量制御回路において、
一方のＬＥＤランプは終了基準でデューティ調整をし、他方のＬＥＤランプは先頭基準でデューティ調整をする制御手段を備えることを特徴とする光量制御回路。
【請求項１０】
前記一方のＬＥＤランプおよび前記他方のＬＥＤランプは、赤，緑，青のＬＥＤチップをそれぞれ有する請求項９記載の光量制御回路。
【請求項１１】
前記制御手段は、パルス幅変調信号が入力される第１電流調整回路と、前記第１電流調整回路に接続された前記一方のＬＥＤランプに含まれる赤，緑，青のＬＥＤチップと、パルス幅変調信号が入力される第２電流調整回路と、前記第２電流調整回路に接続された前記他方のＬＥＤランプに含まれる赤，緑，青のＬＥＤチップと、前記一方のＬＥＤランプおよび前記他方のＬＥＤランプに含まれる赤のＬＥＤチップに接続された第１制御スイッチ素子と、前記一方のＬＥＤランプおよび前記他方のＬＥＤランプに含まれる緑のＬＥＤチップに接続された第２制御スイッチ素子と、前記一方のＬＥＤランプおよび前記他方のＬＥＤランプに含まれる青のＬＥＤチップに接続された第３制御スイッチ素子とを備える請求項１０記載の光量制御回路。
【請求項１２】
前記制御手段は、パルス幅変調信号が入力される第１電流調整回路と、前記第１電流調整回路に接続された前記一方のＬＥＤランプに含まれる赤，緑，青のＬＥＤチップと、パルス幅変調信号が入力される第２電流調整回路と、前記第２電流調整回路に接続された前記他方のＬＥＤランプに含まれる赤，緑，青のＬＥＤチップと、前記一方のＬＥＤランプに含まれる赤のＬＥＤチップに接続された第１制御スイッチ素子と、前記一方のＬＥＤランプに含まれる緑のＬＥＤチップに接続された第２制御スイッチ素子と、前記一方のＬＥＤランプに含まれる青のＬＥＤチップに接続された第３制御スイッチ素子と、前記他方のＬＥＤランプに含まれる赤のＬＥＤチップに接続された第４制御スイッチ素子と、前記他方のＬＥＤランプに含まれる緑のＬＥＤチップに接続された第５制御スイッチ素子と、前記他方のＬＥＤランプに含まれる青のＬＥＤチップに接続された第６制御スイッチ素子とを備える請求項１０記載の光量制御回路。
【請求項１３】
前記制御手段は、パルス幅変調信号が入力される電流調整回路と、前記電流調整回路に接続された前記一方のＬＥＤランプに含まれる赤，緑，青のＬＥＤチップと、前記電流調整回路に接続された前記他方のＬＥＤランプに含まれる赤，緑，青のＬＥＤチップと、前記一方のＬＥＤランプに含まれる赤のＬＥＤチップに接続された第１制御スイッチ素子と、前記一方のＬＥＤランプに含まれる緑のＬＥＤチップに接続された第２制御スイッチ素子と、前記一方のＬＥＤランプに含まれる青のＬＥＤチップに接続された第３制御スイッチ素子と、前記他方のＬＥＤランプに含まれる赤のＬＥＤチップに接続された第４制御スイッチ素子と、前記他方のＬＥＤランプに含まれる緑のＬＥＤチップに接続された第５制御スイッチ素子と、前記他方のＬＥＤランプに含まれる青のＬＥＤチップに接続された第６制御スイッチ素子とを備える請求項１０記載の光量制御回路。
【請求項１４】
前記制御手段は、パルス幅変調信号が入力される第１電流調整回路と、前記第１電流調整回路に接続された赤のＬＥＤチップと、パルス幅変調信号が入力される第２電流調整回路と、前記第２電流調整回路に接続された緑のＬＥＤチップと、パルス幅変調信号が入力される第３電流調整回路と、前記第３電流調整回路に接続された青のＬＥＤチップと、前記一方のＬＥＤランプに含まれる赤，緑，青のＬＥＤチップに接続された第１制御スイッチ素子と、前記他方のＬＥＤランプに含まれる赤，緑，青のＬＥＤチップに接続された第２制御スイッチ素子とを備える請求項１０記載の光量制御回路。
【請求項１５】
前記制御手段は、パルス幅変調信号が入力される第１電流調整回路と、前記第１電流調整回路に接続された赤のＬＥＤチップと、パルス幅変調信号が入力される第２電流調整回路と、前記第２電流調整回路に接続された緑のＬＥＤチップと、パルス幅変調信号が入力される第３電流調整回路と、前記第３電流調整回路に接続された青のＬＥＤチップと、パルス幅変調信号が入力される第４電流調整回路と、前記第４電流調整回路に接続された赤のＬＥＤチップと、パルス幅変調信号が入力される第５電流調整回路と、前記第５電流調整回路に接続された緑のＬＥＤチップと、パルス幅変調信号が入力される第６電流調整回路と、前記第６電流調整回路に接続された青のＬＥＤチップと、前記一方のＬＥＤランプに含まれる赤，緑，青のＬＥＤチップに接続された第１制御スイッチ素子と、前記他方のＬＥＤランプに含まれる赤，緑，青のＬＥＤに接続された第２制御スイッチ素子とを備える請求項１０記載の光量制御回路。
【請求項１６】
前記制御手段は、パルス幅変調信号が入力される第１電流調整回路と、前記第１電流調整回路に接続された赤のＬＥＤチップと、パルス幅変調信号が入力される第２電流調整回路と、前記第２電流調整回路に接続された緑のＬＥＤチップと、パルス幅変調信号が入力される第３電流調整回路と、前記第３電流調整回路に接続された青のＬＥＤチップと、パルス幅変調信号が入力される第４電流調整回路と、前記第４電流調整回路に接続された赤のＬＥＤチップと、パルス幅変調信号が入力される第５電流調整回路と、前記第５電流調整回路に接続された緑のＬＥＤチップと、パルス幅変調信号が入力される第６電流調整回路と、前記第６電流調整回路に接続された青のＬＥＤチップと、前記一方のＬＥＤランプに含まれる赤，緑，青のＬＥＤチップおよび前記他方のＬＥＤランプに含まれる赤，緑，青のＬＥＤチップに接続された制御スイッチ素子とを備える請求項１０記載の光量制御回路。
【請求項１７】
一対のＬＥＤランプを有し、これらＬＥＤランプから発せられた光を導光することで原稿を照射し、光を照射された原稿からの反射光を画像信号に変換する光量制御回路の光量制御方法において、
一方のＬＥＤランプを終了基準でデューティ調整をする工程と、
他方のＬＥＤランプを先頭基準でデューティ調整をする工程と
を含むことを特徴とする光量制御方法。
【請求項１８】
前記一方のＬＥＤランプおよび前記他方のＬＥＤランプが赤，緑，青のＬＥＤチップをそれぞれ有し、フルカラー読み取りに対応している請求項１７記載の光量制御方法。
【請求項１９】
調整オフセット値，調整ゲイン値，最大デューティ値，初期パルス幅変調値，および最大パルス幅変調値の各設定値を入力する工程と、
調整オフセット値をオフセット回路のオフセット値に、調整ゲイン値をゲイン調整回路のゲイン値に設定する工程と、
各色共通の最大デューティ値を一対のＬＥＤランプにおける各色のＬＥＤチップのデューティ値に設定する工程と、
初期パルス幅変調値を、一対のＬＥＤランプにおける各色のＬＥＤチップのパルス幅変調値に設定する工程と、
一対のＬＥＤランプにおける各色のＬＥＤチップのパルス幅変調値を、各色のＬＥＤチップの仮パルス幅変調値に調整する工程と、
一対のＬＥＤランプにおける各色のＬＥＤチップのパルス幅変調値を決定する工程と、
一対のＬＥＤランプにおける各色のＬＥＤチップのデューティ値を調整デューティ値に調整する工程と、
アンダーフロー画素検出用閾値を白レベルの所定割合に設定する工程と、
白部材の画像を読み取ることにより、白レベルの所定割合以上の出力であるかを確認する工程と、
白レベルが所定割合以上の出力を示していなければ、一対のＬＥＤランプのパルス幅変調値のバランスを設定する工程と、
調整パルス幅変調値，および調整デューティ値を出力する工程と
を含む請求項１８記載の光量制御方法。
【請求項２０】
調整オフセット値，調整ゲイン値，最大デューティ値，初期パルス幅変調値，および最大パルス幅変調値の各設定値を入力する工程と、
調整オフセット値をオフセット回路のオフセット値に、調整ゲイン値をゲイン調整回路のゲイン値に設定する工程と、
各色共通の最大デューティ値を、一対のＬＥＤランプにおける各色のＬＥＤチップのデューティ値に設定する工程と、
初期パルス幅変調値を、一対のＬＥＤランプにおける各色のＬＥＤチップのパルス幅変調値に設定する工程と、
一対のＬＥＤランプにおける各色のＬＥＤチップのパルス幅変調値を、各色のＬＥＤチップの仮パルス幅変調値に調整する工程と、
一対のＬＥＤランプにおける各色のＬＥＤチップのパルス幅変調値を決定する工程と、
一対のＬＥＤランプにおける各色のＬＥＤチップのデューティ値を、調整デューティ値に調整する工程と、
アンダーフロー画素検出用閾値を白レベルの所定割合に設定する工程と、
白部材の画像を読み取ることにより、白レベルの所定割合以上の出力であるかを確認する工程と、
白レベルが所定割合以上の出力を示していれば、一対のＬＥＤランプのパルス幅変調値のバランスを設定する工程と、
調整パルス幅変調値，および調整デューティ値を出力する工程と
を含む請求項１８記載の光量制御方法。
【請求項２１】
調整オフセット値，調整ゲイン値，最大デューティ値，初期パルス幅変調値，および最大パルス幅変調値を入力する工程と、
調整オフセット値をオフセット回路のオフセット値に、調整ゲイン値をゲイン調整回路のゲイン値に設定する工程と、
各色共通の最大デューティ値を、一対のＬＥＤランプにおける各色のＬＥＤチップのデューティ値に設定する工程と、
初期パルス幅変調値を、一対のＬＥＤランプにおける各色のＬＥＤチップのパルス幅変調値に設定する工程と、
一対のＬＥＤランプにおける各色のＬＥＤチップのパルス幅変調値を、各色のＬＥＤチップの仮パルス幅変調値に調整する工程と、
一対のＬＥＤランプにおける各色のＬＥＤチップのパルス幅変調値を決定する工程と、
一対のＬＥＤランプにおける各色のＬＥＤチップのデューティ値を、調整デューティ値に調整する工程と、
アンダーフロー画素検出用閾値を白レベルの所定割合に設定する工程と、
白部材の画像を読み取ることにより、白レベルの所定割合以上の出力であるかを確認する工程と、
白レベルの全領域が所定割合以上の出力を示していなければ、一対のＬＥＤランプにおける各色のＬＥＤチップのパルス幅変調値のバランスを設定する工程と、
調整パルス幅変調値，および調整デューティ値を出力する工程と
を含む請求項１８記載の光量制御方法。
【請求項２２】
調整オフセット値，調整ゲイン値，最大デューティ値，初期パルス幅変調値，および最大パルス幅変調値を入力する工程と、
調整オフセット値をオフセット回路のオフセット値に、調整ゲイン値をゲイン調整回路のゲイン値に設定する工程と、
各色共通の最大デューティ値を、一対のＬＥＤランプにおける各色のＬＥＤチップのデューティ値に設定する工程と、
初期パルス幅変調値を、一対のＬＥＤランプにおける各色のＬＥＤチップのパルス幅変調値に設定する工程と、
一対のＬＥＤランプにおける各色のＬＥＤチップのパルス幅変調値を、各色のＬＥＤチップの仮パルス幅変調値に調整する工程と、
アンダーフロー画素検出用閾値を白レベルの所定割合に設定する工程と、
白部材の画像を読み取ることにより、白レベルの所定割合以上の出力であるかを確認する工程と、
白レベルの所定割合以上の出力を示していなければ、一対のＬＥＤランプにおける各色のＬＥＤチップのパルス幅変調値のバランスを設定する工程と、
調整パルス幅変調値，および調整デューティ値を出力する工程と
を含む請求項１８記載の光量制御方法。
【請求項２３】
調整オフセット値，調整ゲイン値，最大デューティ値，初期パルス幅変調値，および最大パルス幅変調値を入力する工程と、
調整オフセット値をオフセット回路のオフセット値に、調整ゲイン値をゲイン調整回路のゲイン値に設定する工程と、
各色共通の最大デューティ値を、一対のＬＥＤランプにおける各色のＬＥＤチップのデューティ値に設定する工程と、
初期パルス幅変調値を、一対のＬＥＤランプにおける各色のＬＥＤチップのパルス幅変調値に設定する工程と、
一対のＬＥＤランプにおける各色のＬＥＤチップのパルス幅変調値を、各色のＬＥＤチップの仮パルス幅変調値に調整する工程と、
アンダーフロー画素検出用閾値を白レベルの所定割合に設定する工程と、
白部材の画像を読み取ることにより、白レベルの所定割合以上の出力であるかを確認する工程と、
白レベルの所定割合以上の出力を示していなければ、一対のＬＥＤランプにおける各色のＬＥＤチップのパルス幅変調値のバランスを設定する工程と、
調整パルス幅変調値，および調整デューティ値を出力する工程と
を含む請求項１８記載の光量制御方法。
【請求項２４】
調整オフセット値，調整ゲイン値，最大デューティ値，初期パルス幅変調値，および最大パルス幅変調値を入力する工程と、
調整オフセット値をオフセット回路のオフセット値に、調整ゲイン値をゲイン調整回路のゲイン値に設定する工程と、
各色共通の最大デューティ値を、一対のＬＥＤランプにおける各色のＬＥＤチップのデューティ値に設定する工程と、
初期パルス幅変調値を、一対のＬＥＤランプにおける各色のＬＥＤチップのパルス幅変調値に設定する工程と、
一対のＬＥＤランプにおける各色のＬＥＤチップのパルス幅変調値を、各色のＬＥＤチップの仮パルス幅変調値に調整する工程と、
アンダーフロー画素検出用閾値を白レベルの所定割合に設定する工程と、
白部材の画像を読み取ることにより、白レベルの所定割合以上の出力であるかを確認する工程と、
白レベルの所定割合以上の出力を示していなければ、一対のＬＥＤランプにおける各色のＬＥＤチップのパルス幅変調値のバランスを設定する工程と、
調整パルス幅変調値，および調整デューティ値を出力する工程と
を含む請求項１８記載の光量制御方法。
【発明の詳細な説明】
【技術分野】
【０００１】
本発明は画像読取装置，光量制御回路および光量制御方法に関し、詳しくは複数のイメージセンサＩＣ（Integrated Circuit）チップが一直線状に並べられた密着型イメージセンサ（ＣＩＳ：Contact Image Sensor）を使用する画像読取装置，光量制御回路および光量制御方法に関する。
【背景技術】
【０００２】
従来からファクシミリ装置や電子複写機のような、文書，書籍などの画像情報を電気的に取り込んで処理する画像読取装置の原稿照明用光源装置として、ＬＥＤ（Light Emitting Diode）を用いたものが広く用いられている。
【０００３】
従来の画像読取装置では、ＣＩＳに沿ったライン状の照明を得るために、ＬＥＤチップを一直線状に多数並べたＬＥＤアレイを使用するものが一般的であった。しかし、近年、ＬＥＤランプの高輝度化に伴い、円柱体状等の導光部材と、導光部材の両端面に配置された一対のＬＥＤランプとを用いて光をライン状に展開する原稿照明用光源装置が提案されている（特許文献１参照）。
【特許文献１】特開平９−２１４６７５号公報
【発明の開示】
【発明が解決しようとする課題】
【０００４】
上述した従来の原稿照明用光源装置では、図２３に示すように、導光部材２５（図３および図４参照）の一方の入射面２５ａに配設されたＬＥＤランプ２６ａと他方の入射面２５ｂに配設されたＬＥＤランプ２６ｂとをいずれも先頭基準でデューティ調整をしているため、図１４中の従来例に示すように、ＬＥＤランプ２６ａ，２６ｂの点灯期間が副走査方向で見て一致しており、副走査方向の最小解像度分の送り量の範囲で副走査方向側に原稿が照明されない期間が生じ、画像読取装置による原稿読取時にその部分の画像データが欠落するという問題点があった。
【０００５】
本発明の第１の目的は、導光部材の一方の入射面に配設されたＬＥＤランプを終了基準でデューティ調整をし、他方の入射面に配設されたＬＥＤランプを先頭基準でデューティ調整をすることにより、副走査方向の最小解像度分の送り量の範囲で副走査方向側に原稿が照明されない期間が生じないようにして、読取画像データの欠落を防止するようにした画像読取装置を提供することにある。
【０００６】
本発明の第２の目的は、導光部材の一方の入射面に配設されたＬＥＤランプを終了基準でデューティ調整をし、他方の入射面に配設されたＬＥＤランプを先頭基準でデューティ調整をすることにより、副走査方向の最小解像度分の送り量の範囲で副走査方向側に原稿が照明されない期間が生じないようにした光量制御回路を提供することにある。
【０００７】
本発明の第３の目的は、導光部材の一方の入射面に配設されたＬＥＤランプを終了基準でデューティ調整をし、他方の入射面に配設されたＬＥＤランプを先頭基準でデューティ調整をすることにより、副走査方向の最小解像度分の送り量の範囲で副走査方向側に原稿が照明されない期間が生じないようにした光量制御方法を提供することにある。
【課題を解決するための手段および発明の効果】
【０００８】
請求項１記載の画像読取装置は、一対のＬＥＤランプと、前記一対のＬＥＤランプを有し、これらＬＥＤランプから発せられた光を導光することで原稿を照射する導光手段と、前記導光手段により光を照射された原稿からの反射光を画像信号に変換する光電変換手段と、一方のＬＥＤランプは終了基準でデューティ調整をし、他方のＬＥＤランプは先頭基準でデューティ調整をする制御手段とを備えることを特徴とする。請求項１記載の画像読取装置によれば、副走査方向の最小解像度分の送り量の範囲で副走査方向側に原稿が照明されない期間が生じないようにして、読取画像データの欠落を防止することができる。
【０００９】
請求項２記載の画像読取装置は、請求項１記載の画像読取装置において、前記一方のＬＥＤランプおよび前記他方のＬＥＤランプは、赤，緑，青のＬＥＤチップをそれぞれ有することを特徴とする。請求項２記載の画像読取装置によれば、フルカラー画像の読取りに対応することができる。
【００１０】
請求項３記載の画像読取装置は、請求項２記載の画像読取装置において、前記制御手段が、パルス幅変調信号が入力される第１電流調整回路と、前記第１電流調整回路に接続された前記一方のＬＥＤランプに含まれる赤，緑，青のＬＥＤチップと、パルス幅変調信号が入力される第２電流調整回路と、前記第２電流調整回路に接続された前記他方のＬＥＤランプに含まれる赤，緑，青のＬＥＤチップと、前記一方のＬＥＤランプおよび前記他方のＬＥＤランプに含まれる赤のＬＥＤチップに接続された第１制御スイッチ素子と、前記一方のＬＥＤランプおよび前記他方のＬＥＤランプに含まれる緑のＬＥＤチップに接続された第２制御スイッチ素子と、前記一方のＬＥＤランプおよび前記他方のＬＥＤランプに含まれる青のＬＥＤチップに接続された第３制御スイッチ素子とを備えることを特徴とする。請求項３記載の画像読取装置によれば、一方のＬＥＤランプおよび他方のＬＥＤランプに流れる電流をＬＥＤランプ毎に制御することができるとともに、一方のＬＥＤランプおよび他方のＬＥＤランプに含まれる赤のＬＥＤチップと、一方のＬＥＤランプおよび他方のＬＥＤランプに含まれる緑のＬＥＤチップと、一方のＬＥＤランプおよび他方のＬＥＤランプに含まれる青のＬＥＤチップとを別々にオン／オフ制御することができる。
【００１１】
請求項４記載の画像読取装置は、請求項２記載の画像読取装置において、前記制御手段が、パルス幅変調信号が入力される第１電流調整回路と、前記第１電流調整回路に接続された前記一方のＬＥＤランプに含まれる赤，緑，青のＬＥＤチップと、パルス幅変調信号が入力される第２電流調整回路と、前記第２電流調整回路に接続された前記他方のＬＥＤランプに含まれる赤，緑，青のＬＥＤチップと、前記一方のＬＥＤランプに含まれる赤のＬＥＤチップに接続された第１制御スイッチ素子と、前記一方のＬＥＤランプに含まれる緑のＬＥＤチップに接続された第２制御スイッチ素子と、前記一方のＬＥＤランプに含まれる青のＬＥＤチップに接続された第３制御スイッチ素子と、前記他方のＬＥＤランプに含まれる赤のＬＥＤチップに接続された第４制御スイッチ素子と、前記他方のＬＥＤランプに含まれる緑のＬＥＤチップに接続された第５制御スイッチ素子と、前記他方のＬＥＤランプに含まれる青のＬＥＤチップに接続された第６制御スイッチ素子とを備えることを特徴とする。請求項４記載の画像読取装置によれば、一方のＬＥＤランプおよび他方のＬＥＤランプに流れる電流をＬＥＤランプ毎に制御することができるとともに、一方のＬＥＤランプに含まれる赤，緑，青のＬＥＤチップ，および他方のＬＥＤランプに含まれる赤，緑，青のＬＥＤチップを、ＬＥＤチップ毎に独立してオン／オフ制御することができる。このため、一方のＬＥＤランプは終了基準でデューティ調整をし、他方のＬＥＤランプは先頭基準でデューティ調整をすることにより、副走査方向の最小解像度分の送り量の範囲で副走査方向側に原稿が照明されない期間が生じないようにして、読取画像データの欠落を防止することができる。
【００１２】
請求項５記載の画像読取装置は、請求項２記載の画像読取装置において、前記制御手段が、パルス幅変調信号が入力される電流調整回路と、前記電流調整回路に接続された前記一方のＬＥＤランプに含まれる赤，緑，青のＬＥＤチップと、前記電流調整回路に接続された前記他方のＬＥＤランプに含まれる赤，緑，青のＬＥＤチップと、前記一方のＬＥＤランプに含まれる赤のＬＥＤチップに接続された第１制御スイッチ素子と、前記一方のＬＥＤランプに含まれる緑のＬＥＤチップに接続された第２制御スイッチ素子と、前記一方のＬＥＤランプに含まれる青のＬＥＤチップに接続された第３制御スイッチ素子と、前記他方のＬＥＤランプに含まれる赤のＬＥＤチップに接続された第４制御スイッチ素子と、前記他方のＬＥＤランプに含まれる緑のＬＥＤチップに接続された第５制御スイッチ素子と、前記他方のＬＥＤランプに含まれる青のＬＥＤチップに接続された第６制御スイッチ素子とを備えることを特徴とする。請求項５記載の画像読取装置によれば、一方のＬＥＤランプおよび他方のＬＥＤランプに流れる電流を一括して制御することができるとともに、一方のＬＥＤランプに含まれる赤，緑，青のＬＥＤチップ，および他方のＬＥＤランプに含まれる赤，緑，青のＬＥＤチップを、ＬＥＤチップ毎に独立してオン／オフ制御することができる。このため、一方のＬＥＤランプは終了基準でデューティ調整をし、他方のＬＥＤランプは先頭基準でデューティ調整をすることにより、副走査方向の最小解像度分の送り量の範囲で副走査方向側に原稿が照明されない期間が生じないようにして、読取画像データの欠落を防止することができる。
【００１３】
請求項６記載の画像読取装置は、請求項２記載の画像読取装置において、前記制御手段が、パルス幅変調信号が入力される第１電流調整回路と、前記第１電流調整回路に接続された赤のＬＥＤチップと、パルス幅変調信号が入力される第２電流調整回路と、前記第２電流調整回路に接続された緑のＬＥＤチップと、パルス幅変調信号が入力される第３電流調整回路と、前記第３電流調整回路に接続された青のＬＥＤチップと、前記一方のＬＥＤランプに含まれる赤，緑，青のＬＥＤチップに接続された第１制御スイッチ素子と、前記他方のＬＥＤランプに含まれる赤，緑，青のＬＥＤチップに接続された第２制御スイッチ素子とを備えることを特徴とする。請求項６記載の画像読取装置によれば、一方のＬＥＤランプに含まれる赤のＬＥＤチップおよび他方のＬＥＤランプに含まれる赤のＬＥＤチップ，一方のＬＥＤランプに含まれる緑のＬＥＤチップおよび他方のＬＥＤランプに含まれる緑のＬＥＤチップ，ならびに一方のＬＥＤランプに含まれる青のＬＥＤチップおよび他方のＬＥＤランプに含まれる青のＬＥＤチップに流れる電流を色毎に制御することができるとともに、一方のＬＥＤランプに含まれる赤，緑，青のＬＥＤチップ，および他方のＬＥＤランプに含まれる赤，緑，青のＬＥＤチップを、ＬＥＤランプ毎にオン／オフ制御することができる。このため、一方のＬＥＤランプは終了基準でデューティ調整をし、他方のＬＥＤランプは先頭基準でデューティ調整をすることにより、副走査方向の最小解像度分の送り量の範囲で副走査方向側に原稿が照明されない期間が生じないようにして、読取画像データの欠落を防止することができる。
【００１４】
請求項７記載の画像読取装置は、請求項２記載の画像読取装置において、前記制御手段は、パルス幅変調信号が入力される第１電流調整回路と、前記第１電流調整回路に接続された赤のＬＥＤチップと、パルス幅変調信号が入力される第２電流調整回路と、前記第２電流調整回路に接続された緑のＬＥＤチップと、パルス幅変調信号が入力される第３電流調整回路と、前記第３電流調整回路に接続された青のＬＥＤチップと、パルス幅変調信号が入力される第４電流調整回路と、前記第４電流調整回路に接続された赤のＬＥＤチップと、パルス幅変調信号が入力される第５電流調整回路と、前記第５電流調整回路に接続された緑のＬＥＤチップと、パルス幅変調信号が入力される第６電流調整回路と、前記第６電流調整回路に接続された青のＬＥＤチップと、前記一方のＬＥＤランプに含まれる赤，緑，青のＬＥＤチップに接続された第１制御スイッチ素子と、前記他方のＬＥＤランプに含まれる赤，緑，青のＬＥＤに接続された第２制御スイッチ素子とを備えることを特徴とする。請求項７記載の画像読取装置によれば、一方のＬＥＤランプに含まれる赤，緑，青のＬＥＤチップ，および他方のＬＥＤランプに含まれる赤，緑，青のＬＥＤチップに流れる電流をＬＥＤチップ毎に制御することができるとともに、一方のＬＥＤランプに含まれる赤，緑，青のＬＥＤチップ，および他方のＬＥＤランプに含まれる赤，緑，青のＬＥＤチップを、ＬＥＤランプ毎にオン／オフ制御することができる。このため、一方のＬＥＤランプは終了基準でデューティ調整をし、他方のＬＥＤランプは先頭基準でデューティ調整をすることにより、副走査方向の最小解像度分の送り量の範囲で副走査方向側に原稿が照明されない期間が生じないようにして、読取画像データの欠落を防止することができる。
【００１５】
請求項８記載の画像読取装置は、請求項２記載の画像読取装置において、前記制御手段は、パルス幅変調信号が入力される第１電流調整回路と、前記第１電流調整回路に接続された赤のＬＥＤチップと、パルス幅変調信号が入力される第２電流調整回路と、前記第２電流調整回路に接続された緑のＬＥＤチップと、パルス幅変調信号が入力される第３電流調整回路と、前記第３電流調整回路に接続された青のＬＥＤチップと、パルス幅変調信号が入力される第４電流調整回路と、前記第４電流調整回路に接続された赤のＬＥＤチップと、パルス幅変調信号が入力される第５電流調整回路と、前記第５電流調整回路に接続された緑のＬＥＤチップと、パルス幅変調信号が入力される第６電流調整回路と、前記第６電流調整回路に接続された青のＬＥＤチップと、前記一方のＬＥＤランプに含まれる赤，緑，青のＬＥＤチップおよび前記他方のＬＥＤランプに含まれる赤，緑，青のＬＥＤチップに接続された制御スイッチ素子とを備えることを特徴とする。請求項８記載の画像読取装置によれば、一方のＬＥＤランプに含まれる赤，緑，青のＬＥＤチップ，および他方のＬＥＤランプに含まれる赤，緑，青のＬＥＤチップに流れる電流をＬＥＤチップ毎に制御することができるとともに、一方のＬＥＤランプに含まれる赤，緑，青のＬＥＤチップ，および他方のＬＥＤランプに含まれる赤，緑，青のＬＥＤチップを一括してオン／オフ制御することができる。
【００１６】
請求項９記載の光量制御回路は、一対のＬＥＤランプと、前記一対のＬＥＤランプを有し、これらＬＥＤランプから発せられた光を導光することで原稿を照射する導光手段と、前記導光手段により光を照射された原稿からの反射光を画像信号に変換する光電変換手段とを備える画像読取装置の光量制御回路において、一方のＬＥＤランプは終了基準でデューティ調整をし、他方のＬＥＤランプは先頭基準でデューティ調整をする制御手段を備えることを特徴とする。請求項９記載の光量制御回路によれば、副走査方向の最小解像度分の送り量の範囲で副走査方向側に原稿が照明されない期間が生じないようにして、読取画像データの欠落を防止することができる。
【００１７】
請求項１０記載の光量制御回路は、請求項９記載の光量制御回路において、前記一方のＬＥＤランプおよび前記他方のＬＥＤランプは、赤，緑，青のＬＥＤチップをそれぞれ有することを特徴とする。請求項１０記載の光量制御回路によれば、フルカラー画像の読取りに対応することができる。
【００１８】
請求項１１記載の光量制御回路は、請求項１０記載の光量制御回路において、前記制御手段は、パルス幅変調信号が入力される第１電流調整回路と、前記第１電流調整回路に接続された前記一方のＬＥＤランプに含まれる赤，緑，青のＬＥＤチップと、パルス幅変調信号が入力される第２電流調整回路と、前記第２電流調整回路に接続された前記他方のＬＥＤランプに含まれる赤，緑，青のＬＥＤチップと、前記一方のＬＥＤランプおよび前記他方のＬＥＤランプに含まれる赤のＬＥＤチップに接続された第１制御スイッチ素子と、前記一方のＬＥＤランプおよび前記他方のＬＥＤランプに含まれる緑のＬＥＤチップに接続された第２制御スイッチ素子と、前記一方のＬＥＤランプおよび前記他方のＬＥＤランプに含まれる青のＬＥＤチップに接続された第３制御スイッチ素子とを備えることを特徴とする。請求項１１記載の光量制御回路によれば、一方のＬＥＤランプおよび他方のＬＥＤランプに流れる電流をＬＥＤランプ毎に制御することができるとともに、一方のＬＥＤランプおよび他方のＬＥＤランプに含まれる赤のＬＥＤチップと、一方のＬＥＤランプおよび他方のＬＥＤランプに含まれる緑のＬＥＤチップと、一方のＬＥＤランプおよび他方のＬＥＤランプに含まれる青のＬＥＤチップとを別々にオン／オフ制御することができる。
【００１９】
請求項１２記載の光量制御回路は、請求項１０記載の光量制御回路において、前記制御手段は、パルス幅変調信号が入力される第１電流調整回路と、前記第１電流調整回路に接続された前記一方のＬＥＤランプに含まれる赤，緑，青のＬＥＤチップと、パルス幅変調信号が入力される第２電流調整回路と、前記第２電流調整回路に接続された前記他方のＬＥＤランプに含まれる赤，緑，青のＬＥＤチップと、前記一方のＬＥＤランプに含まれる赤のＬＥＤチップに接続された第１制御スイッチ素子と、前記一方のＬＥＤランプに含まれる緑のＬＥＤチップに接続された第２制御スイッチ素子と、前記一方のＬＥＤランプに含まれる青のＬＥＤチップに接続された第３制御スイッチ素子と、前記他方のＬＥＤランプに含まれる赤のＬＥＤチップに接続された第４制御スイッチ素子と、前記他方のＬＥＤランプに含まれる緑のＬＥＤチップに接続された第５制御スイッチ素子と、前記他方のＬＥＤランプに含まれる青のＬＥＤチップに接続された第６制御スイッチ素子とを備えることを特徴とする。請求項１２記載の光量制御回路によれば、一方のＬＥＤランプおよび他方のＬＥＤランプに流れる電流をＬＥＤランプ毎に制御することができるとともに、一方のＬＥＤランプに含まれる赤，緑，青のＬＥＤチップ，および他方のＬＥＤランプに含まれる赤，緑，青のＬＥＤチップを、ＬＥＤチップ毎に独立してオン／オフ制御することができる。このため、一方のＬＥＤランプは終了基準でデューティ調整をし、他方のＬＥＤランプは先頭基準でデューティ調整をすることにより、副走査方向の最小解像度分の送り量の範囲で副走査方向側に原稿が照明されない期間が生じないようにして、読取画像データの欠落を防止することができる。
【００２０】
請求項１３記載の光量制御回路は、請求項１０記載の光量制御回路において、前記制御手段は、パルス幅変調信号が入力される電流調整回路と、前記電流調整回路に接続された前記一方のＬＥＤランプに含まれる赤，緑，青のＬＥＤチップと、前記電流調整回路に接続された前記他方のＬＥＤランプに含まれる赤，緑，青のＬＥＤチップと、前記一方のＬＥＤランプに含まれる赤のＬＥＤチップに接続された第１制御スイッチ素子と、前記一方のＬＥＤランプに含まれる緑のＬＥＤチップに接続された第２制御スイッチ素子と、前記一方のＬＥＤランプに含まれる青のＬＥＤチップに接続された第３制御スイッチ素子と、前記他方のＬＥＤランプに含まれる赤のＬＥＤチップに接続された第４制御スイッチ素子と、前記他方のＬＥＤランプに含まれる緑のＬＥＤチップに接続された第５制御スイッチ素子と、前記他方のＬＥＤランプに含まれる青のＬＥＤチップに接続された第６制御スイッチ素子とを備えることを特徴とする。請求項１３記載の光量制御回路によれば、一方のＬＥＤランプおよび他方のＬＥＤランプに流れる電流を一括して制御することができるとともに、一方のＬＥＤランプに含まれる赤，緑，青のＬＥＤチップ，および他方のＬＥＤランプに含まれる赤，緑，青のＬＥＤチップを、ＬＥＤチップ毎に独立してオン／オフ制御することができる。このため、一方のＬＥＤランプは終了基準でデューティ調整をし、他方のＬＥＤランプは先頭基準でデューティ調整をすることにより、副走査方向の最小解像度分の送り量の範囲で副走査方向側に原稿が照明されない期間が生じないようにして、読取画像データの欠落を防止することができる。
【００２１】
請求項１４記載の光量制御回路は、請求項１０記載の光量制御回路において、前記制御手段は、パルス幅変調信号が入力される第１電流調整回路と、前記第１電流調整回路に接続された赤のＬＥＤチップと、パルス幅変調信号が入力される第２電流調整回路と、前記第２電流調整回路に接続された緑のＬＥＤチップと、パルス幅変調信号が入力される第３電流調整回路と、前記第３電流調整回路に接続された青のＬＥＤチップと、前記一方のＬＥＤランプに含まれる赤，緑，青のＬＥＤチップに接続された第１制御スイッチ素子と、前記他方のＬＥＤランプに含まれる赤，緑，青のＬＥＤチップに接続された第２制御スイッチ素子とを備えることを特徴とする。請求項１４記載の光量制御回路によれば、一方のＬＥＤランプに含まれる赤のＬＥＤチップおよび他方のＬＥＤランプに含まれる赤のＬＥＤチップ，一方のＬＥＤランプに含まれる緑のＬＥＤチップおよび他方のＬＥＤランプに含まれる緑のＬＥＤチップ，ならびに一方のＬＥＤランプに含まれる青のＬＥＤチップおよび他方のＬＥＤランプに含まれる青のＬＥＤチップに流れる電流を色毎に制御することができるとともに、一方のＬＥＤランプに含まれる赤，緑，青のＬＥＤチップ，および他方のＬＥＤランプに含まれる赤，緑，青のＬＥＤチップを、ＬＥＤランプ毎にオン／オフ制御することができる。このため、一方のＬＥＤランプは終了基準でデューティ調整をし、他方のＬＥＤランプは先頭基準でデューティ調整をすることにより、副走査方向の最小解像度分の送り量の範囲で副走査方向側に原稿が照明されない期間が生じないようにして、読取画像データの欠落を防止することができる。
【００２２】
請求項１５記載の光量制御回路は、請求項１０記載の光量制御回路において、前記制御手段は、パルス幅変調信号が入力される第１電流調整回路と、前記第１電流調整回路に接続された赤のＬＥＤチップと、パルス幅変調信号が入力される第２電流調整回路と、前記第２電流調整回路に接続された緑のＬＥＤチップと、パルス幅変調信号が入力される第３電流調整回路と、前記第３電流調整回路に接続された青のＬＥＤチップと、パルス幅変調信号が入力される第４電流調整回路と、前記第４電流調整回路に接続された赤のＬＥＤチップと、パルス幅変調信号が入力される第５電流調整回路と、前記第５電流調整回路に接続された緑のＬＥＤチップと、パルス幅変調信号が入力される第６電流調整回路と、前記第６電流調整回路に接続された青のＬＥＤチップと、前記一方のＬＥＤランプに含まれる赤，緑，青のＬＥＤチップに接続された第１制御スイッチ素子と、前記他方のＬＥＤランプに含まれる赤，緑，青のＬＥＤに接続された第２制御スイッチ素子とを備えることを特徴とする。請求項１５記載の光量制御回路によれば、一方のＬＥＤランプに含まれる赤，緑，青のＬＥＤチップ，および他方のＬＥＤランプに含まれる赤，緑，青のＬＥＤチップに流れる電流をＬＥＤチップ毎に制御することができるとともに、一方のＬＥＤランプに含まれる赤，緑，青のＬＥＤチップ，および他方のＬＥＤランプに含まれる赤，緑，青のＬＥＤチップを、ＬＥＤランプ毎にオン／オフ制御することができる。このため、一方のＬＥＤランプは終了基準でデューティ調整をし、他方のＬＥＤランプは先頭基準でデューティ調整をすることにより、副走査方向の最小解像度分の送り量の範囲で副走査方向側に原稿が照明されない期間が生じないようにして、読取画像データの欠落を防止することができる。
【００２３】
請求項１６記載の光量制御回路は、請求項１０記載の光量制御回路において、前記制御手段は、パルス幅変調信号が入力される第１電流調整回路と、前記第１電流調整回路に接続された赤のＬＥＤチップと、パルス幅変調信号が入力される第２電流調整回路と、前記第２電流調整回路に接続された緑のＬＥＤチップと、パルス幅変調信号が入力される第３電流調整回路と、前記第３電流調整回路に接続された青のＬＥＤチップと、パルス幅変調信号が入力される第４電流調整回路と、前記第４電流調整回路に接続された赤のＬＥＤチップと、パルス幅変調信号が入力される第５電流調整回路と、前記第５電流調整回路に接続された緑のＬＥＤチップと、パルス幅変調信号が入力される第６電流調整回路と、前記第６電流調整回路に接続された青のＬＥＤチップと、前記一方のＬＥＤランプに含まれる赤，緑，青のＬＥＤチップおよび前記他方のＬＥＤランプに含まれる赤，緑，青のＬＥＤチップに接続された制御スイッチ素子とを備えることを特徴とする。請求項１６記載の光量制御回路によれば、一方のＬＥＤランプに含まれる赤，緑，青のＬＥＤチップ，および他方のＬＥＤランプに含まれる赤，緑，青のＬＥＤチップに流れる電流をＬＥＤチップ毎に制御することができるとともに、一方のＬＥＤランプに含まれる赤，緑，青のＬＥＤチップ，および他方のＬＥＤランプに含まれる赤，緑，青のＬＥＤチップを一括してオン／オフ制御することができる。
【００２４】
請求項１７記載の光量制御方法は、一対のＬＥＤランプを有し、これらＬＥＤランプから発せられた光を導光することで原稿を照射し、光を照射された原稿からの反射光を画像信号に変換する光量制御回路の光量制御方法において、一方のＬＥＤランプを終了基準でデューティ調整をする工程と、他方のＬＥＤランプを先頭基準でデューティ調整をする工程とを含むことを特徴とする。請求項１７記載の光量制御方法によれば、副走査方向の最小解像度分の送り量の範囲で副走査方向側に原稿が照明されない期間が生じないようにして、読取画像データの欠落を防止することができる。
【００２５】
請求項１８記載の光量制御方法は、請求項１７記載の光量制御方法において、前記一方のＬＥＤランプおよび前記他方のＬＥＤランプが赤，緑，青のＬＥＤチップをそれぞれ有し、フルカラー読み取りに対応していることを特徴とする。請求項１８記載の光量制御方法によれば、フルカラー画像の読取りに対応することができる。
【００２６】
請求項１９記載の光量制御方法は、請求項１８記載の光量制御方法において、調整オフセット値，調整ゲイン値，最大デューティ値，初期パルス幅変調値，および最大パルス幅変調値の各設定値を入力する工程と、調整オフセット値をオフセット回路のオフセット値に、調整ゲイン値をゲイン調整回路のゲイン値に設定する工程と、各色共通の最大デューティ値を一対のＬＥＤランプにおける各色のＬＥＤチップのデューティ値に設定する工程と、初期パルス幅変調値を、一対のＬＥＤランプにおける各色のＬＥＤチップのパルス幅変調値に設定する工程と、一対のＬＥＤランプにおける各色のＬＥＤチップのパルス幅変調値を、各色のＬＥＤチップの仮パルス幅変調値に調整する工程と、一対のＬＥＤランプにおける各色のＬＥＤチップのパルス幅変調値を決定する工程と、一対のＬＥＤランプにおける各色のＬＥＤチップのデューティ値を調整デューティ値に調整する工程と、アンダーフロー画素検出用閾値を白レベルの所定割合に設定する工程と、白部材の画像を読み取ることにより、白レベルの所定割合以上の出力であるかを確認する工程と、白レベルが所定割合以上の出力を示していなければ、一対のＬＥＤランプのパルス幅変調値のバランスを設定する工程と、調整パルス幅変調値，および調整デューティ値を出力する工程とを含むことを特徴とする。請求項１９記載の光量制御方法によれば、一方のＬＥＤランプおよび他方のＬＥＤランプに流れる電流をＬＥＤランプ毎に制御することができるとともに、一方のＬＥＤランプおよび他方のＬＥＤランプに含まれる赤のＬＥＤチップと、一方のＬＥＤランプおよび他方のＬＥＤランプに含まれる緑のＬＥＤチップと、一方のＬＥＤランプおよび他方のＬＥＤランプに含まれる青のＬＥＤチップとを別々にオン／オフ制御することができる。
【００２７】
請求項２０記載の光量制御方法は、請求項１８記載の光量制御方法において、調整オフセット値，調整ゲイン値，最大デューティ値，初期パルス幅変調値，および最大パルス幅変調値の各設定値を入力する工程と、調整オフセット値をオフセット回路のオフセット値に、調整ゲイン値をゲイン調整回路のゲイン値に設定する工程と、各色共通の最大デューティ値を、一対のＬＥＤランプにおける各色のＬＥＤチップのデューティ値に設定する工程と、初期パルス幅変調値を、一対のＬＥＤランプにおける各色のＬＥＤチップのパルス幅変調値に設定する工程と、一対のＬＥＤランプにおける各色のＬＥＤチップのパルス幅変調値を、各色のＬＥＤチップの仮パルス幅変調値に調整する工程と、一対のＬＥＤランプにおける各色のＬＥＤチップのパルス幅変調値を決定する工程と、一対のＬＥＤランプにおける各色のＬＥＤチップのデューティ値を、調整デューティ値に調整する工程と、アンダーフロー画素検出用閾値を白レベルの所定割合に設定する工程と、白部材の画像を読み取ることにより、白レベルの所定割合以上の出力であるかを確認する工程と、白レベルが所定割合以上の出力を示していれば、一対のＬＥＤランプのパルス幅変調値のバランスを設定する工程と、調整パルス幅変調値，および調整デューティ値を出力する工程とを含むことを特徴とする。請求項２０記載の光量制御方法によれば、一方のＬＥＤランプおよび他方のＬＥＤランプに流れる電流をＬＥＤランプ毎に制御することができるとともに、一方のＬＥＤランプに含まれる赤，緑，青のＬＥＤチップ，および他方のＬＥＤランプに含まれる赤，緑，青のＬＥＤチップを、ＬＥＤチップ毎に独立してオン／オフ制御することができる。このため、一方のＬＥＤランプは終了基準でデューティ調整をし、他方のＬＥＤランプは先頭基準でデューティ調整をすることにより、副走査方向の最小解像度分の送り量の範囲で副走査方向側に原稿が照明されない期間が生じないようにして、読取画像データの欠落を防止することができる。
【００２８】
請求項２１記載の光量制御方法は、請求項１８記載の光量制御方法において、調整オフセット値，調整ゲイン値，最大デューティ値，初期パルス幅変調値，および最大パルス幅変調値を入力する工程と、調整オフセット値をオフセット回路のオフセット値に、調整ゲイン値をゲイン調整回路のゲイン値に設定する工程と、各色共通の最大デューティ値を、一対のＬＥＤランプにおける各色のＬＥＤチップのデューティ値に設定する工程と、初期パルス幅変調値を、一対のＬＥＤランプにおける各色のＬＥＤチップのパルス幅変調値に設定する工程と、一対のＬＥＤランプにおける各色のＬＥＤチップのパルス幅変調値を、各色のＬＥＤチップの仮パルス幅変調値に調整する工程と、一対のＬＥＤランプにおける各色のＬＥＤチップのパルス幅変調値を決定する工程と、一対のＬＥＤランプにおける各色のＬＥＤチップのデューティ値を、調整デューティ値に調整する工程と、アンダーフロー画素検出用閾値を白レベルの所定割合に設定する工程と、白部材の画像を読み取ることにより、白レベルの所定割合以上の出力であるかを確認する工程と、白レベルの全領域が所定割合以上の出力を示していなければ、一対のＬＥＤランプにおける各色のＬＥＤチップのパルス幅変調値のバランスを設定する工程と、調整パルス幅変調値，および調整デューティ値を出力する工程とを含むことを特徴とする。請求項２１記載の光量制御方法によれば、一方のＬＥＤランプおよび他方のＬＥＤランプに流れる電流を一括して制御することができるとともに、一方のＬＥＤランプに含まれる赤，緑，青のＬＥＤチップ，および他方のＬＥＤランプに含まれる赤，緑，青のＬＥＤチップを、ＬＥＤチップ毎に独立してオン／オフ制御することができる。このため、一方のＬＥＤランプは終了基準でデューティ調整をし、他方のＬＥＤランプは先頭基準でデューティ調整をすることにより、副走査方向の最小解像度分の送り量の範囲で副走査方向側に原稿が照明されない期間が生じないようにして、読取画像データの欠落を防止することができる。
【００２９】
請求項２２記載の光量制御方法は、請求項１８記載の光量制御方法において、調整オフセット値，調整ゲイン値，最大デューティ値，初期パルス幅変調値，および最大パルス幅変調値を入力する工程と、調整オフセット値をオフセット回路のオフセット値に、調整ゲイン値をゲイン調整回路のゲイン値に設定する工程と、各色共通の最大デューティ値を、一対のＬＥＤランプにおける各色のＬＥＤチップのデューティ値に設定する工程と、初期パルス幅変調値を、一対のＬＥＤランプにおける各色のＬＥＤチップのパルス幅変調値に設定する工程と、一対のＬＥＤランプにおける各色のＬＥＤチップのパルス幅変調値を、各色のＬＥＤチップの仮パルス幅変調値に調整する工程と、アンダーフロー画素検出用閾値を白レベルの所定割合に設定する工程と、白部材の画像を読み取ることにより、白レベルの所定割合以上の出力であるかを確認する工程と、白レベルの所定割合以上の出力を示していなければ、一対のＬＥＤランプにおける各色のＬＥＤチップのパルス幅変調値のバランスを設定する工程と、調整パルス幅変調値，および調整デューティ値を出力する工程とを含むことを特徴とする。請求項２２記載の光量制御方法によれば、一方のＬＥＤランプに含まれる赤のＬＥＤチップおよび他方のＬＥＤランプに含まれる赤のＬＥＤチップ，一方のＬＥＤランプに含まれる緑のＬＥＤチップおよび他方のＬＥＤランプに含まれる緑のＬＥＤチップ，ならびに一方のＬＥＤランプに含まれる青のＬＥＤチップおよび他方のＬＥＤランプに含まれる青のＬＥＤチップに流れる電流を色毎に制御することができるとともに、一方のＬＥＤランプに含まれる赤，緑，青のＬＥＤチップ，および他方のＬＥＤランプに含まれる赤，緑，青のＬＥＤチップを、ＬＥＤランプ毎にオン／オフ制御することができる。このため、一方のＬＥＤランプは終了基準でデューティ調整をし、他方のＬＥＤランプは先頭基準でデューティ調整をすることにより、副走査方向の最小解像度分の送り量の範囲で副走査方向側に原稿が照明されない期間が生じないようにして、読取画像データの欠落を防止することができる。
【００３０】
請求項２３記載の光量制御方法は、請求項１８記載の光量制御方法において、調整オフセット値，調整ゲイン値，最大デューティ値，初期パルス幅変調値，および最大パルス幅変調値を入力する工程と、調整オフセット値をオフセット回路のオフセット値に、調整ゲイン値をゲイン調整回路のゲイン値に設定する工程と、各色共通の最大デューティ値を、一対のＬＥＤランプにおける各色のＬＥＤチップのデューティ値に設定する工程と、初期パルス幅変調値を、一対のＬＥＤランプにおける各色のＬＥＤチップのパルス幅変調値に設定する工程と、一対のＬＥＤランプにおける各色のＬＥＤチップのパルス幅変調値を、各色のＬＥＤチップの仮パルス幅変調値に調整する工程と、アンダーフロー画素検出用閾値を白レベルの所定割合に設定する工程と、白部材の画像を読み取ることにより、白レベルの所定割合以上の出力であるかを確認する工程と、白レベルの所定割合以上の出力を示していなければ、一対のＬＥＤランプにおける各色のＬＥＤチップのパルス幅変調値のバランスを設定する工程と、調整パルス幅変調値，および調整デューティ値を出力する工程とを含むことを特徴とする。請求項２３記載の光量制御方法によれば、一方のＬＥＤランプに含まれる赤，緑，青のＬＥＤチップ，および他方のＬＥＤランプに含まれる赤，緑，青のＬＥＤチップに流れる電流をＬＥＤチップ毎に制御することができるとともに、一方のＬＥＤランプに含まれる赤，緑，青のＬＥＤチップ，および他方のＬＥＤランプに含まれる赤，緑，青のＬＥＤチップを、ＬＥＤランプ毎にオン／オフ制御することができる。このため、一方のＬＥＤランプは終了基準でデューティ調整をし、他方のＬＥＤランプは先頭基準でデューティ調整をすることにより、副走査方向の最小解像度分の送り量の範囲で副走査方向側に原稿が照明されない期間が生じないようにして、読取画像データの欠落を防止することができる。
【００３１】
請求項２４記載の光量制御方法は、請求項１８記載の光量制御方法において、調整オフセット値，調整ゲイン値，最大デューティ値，初期パルス幅変調値，および最大パルス幅変調値を入力する工程と、調整オフセット値をオフセット回路のオフセット値に、調整ゲイン値をゲイン調整回路のゲイン値に設定する工程と、各色共通の最大デューティ値を、一対のＬＥＤランプにおける各色のＬＥＤチップのデューティ値に設定する工程と、初期パルス幅変調値を、一対のＬＥＤランプにおける各色のＬＥＤチップのパルス幅変調値に設定する工程と、一対のＬＥＤランプにおける各色のＬＥＤチップのパルス幅変調値を、各色のＬＥＤチップの仮パルス幅変調値に調整する工程と、アンダーフロー画素検出用閾値を白レベルの所定割合に設定する工程と、白部材の画像を読み取ることにより、白レベルの所定割合以上の出力であるかを確認する工程と、白レベルの所定割合以上の出力を示していなければ、一対のＬＥＤランプにおける各色のＬＥＤチップのパルス幅変調値のバランスを設定する工程と、調整パルス幅変調値，および調整デューティ値を出力する工程とを含むことを特徴とする。請求項２４記載の光量制御方法によれば、一方のＬＥＤランプに含まれる赤，緑，青のＬＥＤチップ，および他方のＬＥＤランプに含まれる赤，緑，青のＬＥＤチップに流れる電流をＬＥＤチップ毎に制御することができるとともに、一方のＬＥＤランプに含まれる赤，緑，青のＬＥＤチップ，および他方のＬＥＤランプに含まれる赤，緑，青のＬＥＤチップを一括してオン／オフ制御することができる。
【発明を実施するための最良の形態】
【００３２】
以下、本発明の実施例について図面を参照しながら詳細に説明する。
【実施例１】
【００３３】
図１は、本発明の実施例１に係る画像読取装置１０が組み込まれた複合機１の外観図である。この複合機１は、下側本体１ａに対して上側本体１ｂを開閉可能に取り付けてなるクラムシェル構造のものであり、上側本体１ｂに画像読取装置１０を備えている。また、上側本体１ｂの正面側には操作パネル２が設けられている。なお、複合機１は、画像読取装置１０の他に画像形成装置（レーザプリンタ）も備えているが、本発明とは直接関係しないために説明を省略する。
【００３４】
図２は、画像読取装置１０の断面図である。画像読取装置１０は、フラットベッド機構（ＦＢ：Flat Bed）および自動給紙機構（ＡＤＦ：Automatic Document Feeder）の双方を備えたタイプのものであり、画像読取装置１０自体も、フラットベッド部１０ａに対してカバー部１０ｂを開閉可能に取り付けてなるクラムシェル構造となっている。
【００３５】
画像読取装置１０において、フラットベッド部１０ａには、読取ヘッド１２，第１プラテンガラス１４等が設けられており、カバー部１０ｂには、原稿供給トレイ１６，原稿搬送装置１８，原稿搬出トレイ２０等が設けられている。
【００３６】
読取ヘッド１２は、ＣＩＳ２２，等倍光学系２４，導光部材２５およびＬＥＤランプ２６（２６ａ，２６ｂ）を備えており、読取対象位置に存在する原稿Ｐに対してＬＥＤランプ２６（２６ａ，２６ｂ）から光を照射し、原稿Ｐからの反射光を等倍光学系２４によってＣＩＳ２２に結像することで画像を読み取るように構成されている。また、読取ヘッド１２は、図示しない駆動機構により図２における左右方向に駆動されるようになっており、実際に原稿Ｐを読み取る際には、ＣＩＳ２２が読取位置の真下となる位置へ移動する。
【００３７】
図３は、本発明の実施例１に係る画像読取装置１０の構成をさらに詳細に示す要部斜視図である。画像読取装置１０は、基板２１と、基板２１上に形成されたＣＩＳ２２と、セルフォックレンズ等でなる等倍光学系２４と、等倍光学系２４に沿って配設された円柱体状の導光部材２５と、導光部材２５の両端面に対抗して配置された一対のＬＥＤランプ２６ａ，２６ｂとを含んで構成されている。
【００３８】
図４に示すように、導光部材２５は、断面が円形で、例えばアクリル樹脂等の透光性部材で作られており、その両端面は、一対のＬＥＤランプ２６ａ，２６ｂから発せられた光を入射する入射面２５ａ，２５ｂとなっているとともに、導光部材２５内からの光の出射を防止する反射面ともなっている。この反射面は、導光部材２５の両端面にアルミニウム等の金属を蒸着したり、光拡散反射性の塗料を塗布したりすることで形成されるが、別部材として設けることも可能である。また、導光部材２５は、導光部材２５内を伝播する光を反射および散乱させて導光部材２５の外側に取り出すための反射領域２５ｃを有している。この反射領域２５ｃは、例えば、導光部材２５の一側周面を微小な鋸歯状の形状として、さらにその上にアルミニウム等の金属を蒸着することで形成される。
【００３９】
図５（ａ），（ｂ）は、一対のＬＥＤランプ２６ａ，２６ｂの拡大図を示す。左方のＬＥＤランプ２６ａは、それぞれの発光波長の異なる赤色（Ｒ）、緑色（Ｇ）、青色（Ｂ）のＬＥＤチップ２７Ｒ，２７Ｇ，２７Ｂを金属製のリードの上にボンディングし、その部分を透明な樹脂でレンズ状に封止されて形成されている。右方のＬＥＤランプ２６ｂも、それぞれの発光波長の異なる赤色（Ｒ）、緑色（Ｇ）、青色（Ｂ）のＬＥＤチップ２８Ｒ，２８Ｇ，２８Ｂを金属製のリードの上にボンディングし、その部分を透明な樹脂でレンズ状に封止されて形成されている。一対のＬＥＤランプ２６ａ，２６ｂは、Ｒ，Ｇ，ＢのＬＥＤチップ２７Ｒ，２７Ｇ，２７ＢおよびＲ，Ｇ，ＢのＬＥＤチップ２８Ｒ，２８Ｇ，２８Ｂをそれぞれ備えているので、フルカラー画像の読み取りに対応している。なお、ＬＥＤチップ２７Ｒ，２７Ｇ，２７ＢおよびＬＥＤチップ２８Ｒ，２８Ｇ，２８Ｂは、同じ発光波長の光源同士、すなわちＬＥＤチップ２７ＲとＬＥＤチップ２８Ｒ、ＬＥＤチップ２７ＧとＬＥＤチップ２８Ｇ、ＬＥＤチップ２７ＢとＬＥＤチップ２８Ｂが、それぞれお互いに近接した発光効率を有することが望ましい。
【００４０】
このような画像読取装置１０の構成によれば、ＬＥＤランプ２６ａ，２６ｂより発せられ、導光部材２５の入射面２５ａ，２５ｂより導光部材２５内に入射された光は、導光部材２５の内面で反射を繰り返してその内部を伝播し、入射面２５ａ，２５ｂの反対側の面まで到達し、そこでまた反射されて導光部材２５の内部を伝播する。そして、反射を繰り返す内に反射領域２５ｃに光が入射されると、光はそこで反射され、反射領域２５ｃと対向する側を射出面として外部に射出し、原稿Ｐをライン状に照射する。原稿Ｐからの反射光は、等倍光学系２４により基板２１上に形成されたＣＩＳ２２上に結像され、画像信号に変換される。
【００４１】
図６は、画像読取装置１０の電気的な構成を示す回路ブロック図である。画像読取装置１０は、ＡＳＩＣ（Application Specific Integrated Circuit）４０と、ＬＥＤ回路４１と、ＣＩＳ回路４２と、ＡＦＥ（Analog Front End）４３と、ＲＯＭ（Read Only Memory）４４と、ＥＥＰＲＯＭ（Electrically  Erasable  ＆  Programmable  Read  Only  Memory）４５とから、その主要部が構成されている。
【００４２】
ＡＳＩＣ４０は、ＣＰＵ（Central Processing Unit）５０と、ＲＡＭ（Random Access Memory）５１と、点灯タイミング調整ブロック５２と、ＰＷＭ（Pulse Width Modulation）波形生成ブロック５３と、ＣＩＳ制御ブロック５４と、画像処理ブロック５５と、ＡＦＥ制御ブロック５６と、これらを接続するバス５７とを含んで構成されている。
【００４３】
点灯タイミング調整ブロック５２は、デューティ値ＤＵＴＹ＝（１色当たりのＬＥＤ最大点灯時間）÷（３色の１ライン読取時間）×１００を変更することにより、左のＬＥＤランプ２６ａに含まれるＬＥＤチップ２７Ｒ，２７Ｇ，２７Ｂと、ＬＥＤランプ２６ａに含まれるＬＥＤチップ２８Ｒ，２８Ｇ，２８Ｂとの点灯タイミングを調整する。
【００４４】
ＰＷＭ波形生成ブロック５３は、ＰＷＭ信号を生成し、ＬＥＤ回路４１内の電流調整回路７０（図１５参照）等の抵抗Ｒ１（図８参照）およびコンデンサＣ１（図８参照）でなるＲＣ積分回路で積分して、抵抗Ｒ３（図８参照）に定電流を生成し、抵抗Ｒ４（図８参照）での定電流を生成させてＬＥＤ電流とする。よって、ＰＷＭ波形生成ブロック５３によりＬＥＤ電流を調整できる。
【００４５】
ＡＦＥ４３は、ゲイン調整回路６１と、オフセット回路６２と、加算回路６３と、Ａ／Ｄ（Analog/Digital）変換回路６４とを含んで構成されている。
【００４６】
図７は、本発明の実施例１に係る画像読取装置１０におけるＬＥＤ回路４１の電気的構成を示す回路図である。ＬＥＤ回路４１は、パルス幅変調（ＰＷＭ）信号が入力される第１電流調整回路７１と、第１電流調整回路７１にアノードが接続された左のＬＥＤランプ２６ａに含まれるＬＥＤチップ２７Ｒ，２７Ｇ，２７Ｂと、ＰＷＭ信号が入力される第２電流調整回路７２と、第２電流調整回路７２にアノードが接続された右のＬＥＤランプ２６ａに含まれるＬＥＤチップ２８Ｒ，２８Ｇ，２８Ｂと、ＬＥＤチップ２７ＲおよびＬＥＤチップ２８Ｒのカソードにコレクタが接続されたＮＰＮ型の制御トランジスタ８１と、ＬＥＤチップ２７ＧおよびＬＥＤチップ２８Ｇのカソードにコレクタが接続されたＮＰＮ型の制御トランジスタ８２と、ＬＥＤチップ２７ＢおよびＬＥＤチップ２８Ｂのカソードにコレクタが接続されたＮＰＮ型のトランジスタ８３とから構成されている。第１電流調整回路７１および第２電流調整回路７２は、＋１２Ｖの電源およびグラウンド（ＧＮＤ）に接続されている。制御トランジスタ８１，８２，８３のベースにオン／オフ信号が入力され、エミッタはグラウンドに接続されている。
【００４７】
図８は、第１電流調整回路７１および第２電流調整回路７２となる電流調整回路をより詳細に示す回路図である。この電流調整回路は、一端にＰＷＭ信号が印加される抵抗Ｒ１と、抵抗Ｒ１の他端がベースに接続されたＮＰＮ型のトランジスタＴｒ１と、トランジスタＴｒ１のベースとグラウンドとの間に介挿されたコンデンサＣ１と、トランジスタＴｒ１のコレクタと＋１２Ｖの電源との間に介挿された抵抗Ｒ２と、トランジスタＴｒ１のエミッタとグラウンドとの間に介挿された抵抗Ｒ３と、トランジスタＴｒ１のコレクタがベースに接続され、エミッタがＬＥＤチップのアノードに接続されたトランジスタＴｒ２と、トランジスタＴｒ２のコレクタと＋１２Ｖの電源との間に介挿された抵抗Ｒ４とを含んで構成されている。この電流調整回路は、ＰＷＭ信号のオン時にトランジスタＴｒ１，Ｔｒ２がオンとなって＋１２Ｖの電源からＬＥＤチップに通電する役目をする。
【００４８】
図９は、本実施例１に係る画像読取装置１０のメイン読取制御処理を示すフローチャートである。
【００４９】
図１０は、図９中の各色光量調整処理を示すフローチャートである。
【００５０】
次に、このように構成された実施例１に係る画像読取装置１０の動作について、図１ないし図１０を参照しながら説明する。
【００５１】
画像読取装置１０の読取動作が開始されると、ＣＰＵ５０は、ＣＩＳ制御ブロック５４を通じてＣＩＳ回路４２（読取りヘッド１２）を白部材位置（ホームポジション）に移動する（図９のＳ１）。
【００５２】
次に、ＣＰＵ５０は、ＡＦＥ制御ブロック５６を通じてＡＦＥ４３の調整を行う（図９のＳ２）。
【００５３】
続いて、ＣＰＵ５０は、点灯タイミング調整ブロック５２およびＰＷＭ波形生成ブロック５３を通じて、ＬＥＤランプ２６ａに含まれるＬＥＤチップ２７Ｒ，２７Ｇ，２７Ｂと、ＬＥＤランプ２６ａに含まれるＬＥＤチップ２８Ｒ，２８Ｇ，２８Ｂとの各色の光量調整を行う（図９のＳ３）。
【００５４】
次に、ＣＰＵ５０は、ＬＥＤランプ２６ａに含まれるＬＥＤチップ２７Ｒ，２７Ｇ，２７Ｂと、ＬＥＤランプ２６ａに含まれるＬＥＤチップ２８Ｒ，２８Ｇ，２８Ｂとの各色の白黒レベルデータを読み込む（図９のＳ４）。
【００５５】
続いて、ＣＰＵ５０は、ＬＥＤランプ２６ａに含まれるＬＥＤチップ２７Ｒ，２７Ｇ，２７Ｂと、ＬＥＤランプ２６ａに含まれるＬＥＤチップ２８Ｒ，２８Ｇ，２８Ｂとの各色のシェーディングデータを算出する（図９のＳ５）。
【００５６】
次に、ＣＰＵ５０は、ＣＩＳ制御ブロック５４を通じて、ＣＩＳ回路４２（読取りヘッド１２）の搬送を開始する（図９のＳ６）。
【００５７】
続いて、ＣＰＵ５０は、ＣＩＳ制御ブロック５４を通じて、ＣＩＳ回路４２（読取りヘッド１２）を読取開始位置とする（図９のＳ７）。
【００５８】
次に、ＣＰＵ５０は、ＣＩＳ制御ブロック５４を通じて、ＣＩＳ回路４２（読取りヘッド１２）により原稿Ｐを読み取る（図９のＳ８）。
【００５９】
続いて、ＣＰＵ５０は、ＣＩＳ制御ブロック５４を通じて、ＣＩＳ回路４２（読取りヘッド１２）の読取終了位置を検出する（図９のＳ９）。
【００６０】
次に、ＣＰＵ５０は、ＣＩＳ制御ブロック５４を通じて、ＣＩＳ回路４２（読取りヘッド１２）を白部材位置（ホームポジション）に戻す（図９のＳ１０）
【００６１】
このようにして、ＣＰＵ５０は、ＣＩＳ回路４２（読取りヘッド１２）による原稿Ｐの読取処理を行う。
【００６２】
次に、ＬＥＤランプ２６ａに含まれるＬＥＤチップ２７Ｒ，２７Ｇ，２７Ｂと、ＬＥＤランプ２６ａに含まれるＬＥＤチップ２８Ｒ，２８Ｇ，２８Ｂとの各色の光量調整（ステップＳ３）について、図１０を参照しながらさらに詳細に説明する。
【００６３】
まず、ＣＰＵ５０は、ＥＥＰＲＯＭ４５から調整オフセット値ＯＦＦＳＥＴorg，調整ゲイン値ＧＡＩＮorg，最大デューティ値ＤＵＴＹmax，初期パルス幅変調値ＰＷＭint，および最大パルス幅変調値ＰＷＭmaxcolorの各設定値を入力する（図１０のＳ１０１）。調整オフセット値ＯＦＦＳＥＴorgは、前段のＡＦＥ調整（図９のＳ２）にて調整された黒レベル値（画像信号出力値として最小値）がＡ／Ｄ変換回路６４の基準電圧の低い側になるように調整された電圧値をデジタル値としてＥＥＰＲＯＭ４５内に記憶しておいたものである。
【００６４】
次に、ＣＰＵ５０は、ＡＦＥ制御ブロック５６を通じて、調整オフセット値ＯＦＦＳＥＴorgをオフセット回路６２のオフセット値ＯＦＦＳＥＴに、調整ゲイン値ＧＡＩＮorgをゲイン調整回路６１のゲイン値ＧＡＩＮにセットすることにより、ＡＦＥ４３を設定する（図１０のＳ１０２）。
【００６５】
続いて、ＣＰＵ５０は、ＰＷＭ波形生成ブロック５３を通じて、各色共通の最大デューティ値ＤＵＴＹmaxを、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのデューティ値ＤＵＴＹに設定する（図１０のＳ１０３）。ＬＥＤランプ２６ａ，２６ｂが点灯していない期間での移動がこの期間の読取画像データの欠落を招くため、ＬＥＤランプ２６ａ，２６ｂの点灯期間をなるべく少なくする必要があるので、点灯期間が一番長いときの最大デューティ値ＤＵＴＹmaxで設定している。
【００６６】
次に、ＣＰＵ５０は、ＰＷＭ波形生成ブロック５３を通じて、初期パルス幅変調値ＰＷＭintを、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭに設定する（図１０のＳ１０４）。
【００６７】
続いて、ＣＰＵ５０は、ＰＷＭ波形生成ブロック５３を通じて、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭを、各色のＬＥＤチップ２７Ｒ，２７Ｇ，２７ＢおよびＬＥＤチップ２８Ｒ，２８Ｇ，２８Ｂの仮パルス幅変調値ＰＷＭpro（Ｒ，Ｇ，Ｂ）に調整する（図１０のＳ１０５）。詳しくは、Ａ／Ｄ変換回路６４にてオーバーフロー画素数＝ゼロになるようにＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭを調整する。すなわち、パルス幅変調値ＰＷＭを各色のＬＥＤチップ２７Ｒ，２７Ｇ，２７ＢおよびＬＥＤチップ２８Ｒ，２８Ｇ，２８Ｂの仮パルス幅変調値ＰＷＭpro（Ｒ，Ｇ，Ｂ）とする。ただし、パルス幅変調値ＰＷＭは、最大パルス幅変調値ＰＷＭmaxcolorまでである。具体的には、ＡＳＩＣ４０内にＡ／Ｄ値で最大値を示す値の個数を数えるカウンタが用意されており、点灯期間を最大、パルス幅変調値ＰＷＭ（電流値）を最大にしておき、パルス幅変調値ＰＷＭを下げていき、上記カウンタのカウント値が０になった所で調整を終了する。
【００６８】
次に、ＣＰＵ５０は、ＰＷＭ波形生成ブロック５３を通じて、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭを決定する（図１０のＳ１０６）。詳しくは、各色のＬＥＤチップ２７Ｒ，２７Ｇ，２７ＢおよびＬＥＤチップ２８Ｒ，２８Ｇ，２８Ｂの調整パルス幅変調値ＰＷＭorgから最大値である最大仮パルス幅変調値ＰＷＭpromaxを調整パルス幅変調値ＰＷＭorgとして選択する。具体的には、ステップＳ１０５の調整をＲ，Ｇ，Ｂの３色分で３回行い、それぞれの色でのパルス幅変調値ＰＷＭを取得し、その中で最も大きい値、すなわち最大デューティ値ＤＵＴＹmaxで一番電流量が大きい値、つまり一番暗い出力を示す色のパルス幅変調値ＰＷＭを選択し、これを調整パルス幅変調値ＰＷＭorgとする（パルス幅変調値ＰＷＭは１つだけであり、第１電流調整回路７１，第２電流調整回路７２は同じ値である）。そうすることで、他色の調整は、最大デューティ値ＤＵＴＹmaxのまま電流量を下げることにより、調整可能であるので、先に点灯期間最大での調整が行える。
【００６９】
続いて、ＣＰＵ５０は、点灯タイミング調整ブロック５２を通じて、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのデューティ値ＤＵＴＹを、調整デューティ値ＤＵＴＹorg（Ｒ，Ｇ，Ｂ）に調整する（図１０のＳ１０７）。詳しくは、Ａ／Ｄ変換回路６４にてオーバーフロー画素数＝ゼロになるようにＬＥＤランプ２６ａ，２６ｂのデューティ値ＤＵＴＹを調整する。詳しくは、デューティ値ＤＵＴＹを調整デューティ値ＤＵＴＹorg（Ｒ，Ｇ，Ｂ）とする。ただし、デューティ値ＤＵＴＹは、００ｈから最大デューティ値ＤＵＴＹmaxまでである。ここでは、ステップＳ１０６において調整パルス幅変調値ＰＷＭorgで各色のＬＥＤチップ２７Ｒ，２７Ｇ，２７ＢおよびＬＥＤチップ２８Ｒ，２８Ｇ，２８Ｂのデューティ値ＤＵＴＹ（点灯期間）を決めている。具体的には、ステップＳ１０５で記載したカウンタを用いて、そのカウント値が０になるように調整を行う。まず、ステップＳ１０６で調整パルス幅変調値ＰＷＭorgに設定される。そこで最大デューティ値ＤＵＴＹmaxを設定して、カウンタが０になるまでデューティ値ＤＵＴＹを減らしていく。カウンタが０になったデューティ値ＤＵＴＹを記憶する。これを３色分で３回行い、３つのデューティ値ＤＵＴＹを得る。なお、１色については最大デューティ値ＤＵＴＹmaxに調整されるため、調整の必要はないと考えられるが、調整を行ってもすぐ決定されるので問題ない。ちなみに、色の選択等は行っていない。そのため、色毎に処理を変更しなくてもよいので、処理回路が簡単になる。
【００７０】
次に、ＣＰＵ５０は、画像処理ブロック５５のアンダーフロー画素検出用閾値を白レベルの２５％に設定する（図１０のＳ１０８）。ステップＳ１０５およびＳ１０７で記載したＡ／Ｄ値の最大値の個数をカウントするカウンタが、Ａ／Ｄ値の最小値側にもあり、通常Ａ／Ｄ値の最小値を示す個数をカウントする。このカウンタのカウントするＡ／Ｄ値を決めることが可能となっており、この決めたＡ／Ｄ値よりも小さい値の個数をカウントする。「アンダーフロー画素検出用閾値」は、このカウンタのカウントを行うＡ／Ｄ値を示している。
【００７１】
続いて、ＣＰＵ５０は、図９のステップＳ１でＣＩＳ回路４２（読取りヘッド１２）が白部材位置（ホームポジション）にあるので、ＣＩＳ回路４２からＡＦＥ４３を通じて画像処理ブロック５５により白部材の画像を読み取ることにより、白レベル（白レベルｍｉｎ＞２５％）を確認する（図１０のＳ１０９）。詳しくは、白レベルの全領域が２５％以上の出力を示しているかを判定する。
【００７２】
白レベルの全領域が２５％以上の出力を示していなければ（図１０のＳ１０９：ＮＯ）、ＣＰＵ５０は、１回目、２回目または３回目かを判定する（図１０のＳ１１０）。
【００７３】
１回目または２回目であれば、ＣＰＵ５０は、ＰＷＭ波形生成ブロック５３を通じて、ＬＥＤ回路４１における左右のＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭのバランスを設定する（図１０のＳ１１１）。具体的には、１回目（左）１：２、２回目（右）２：１というように、左右のＬＥＤ電流のバランス（左右バランス）を変更する。左右バランスについては、通常は左右の出力は同じであることを前提に調整を行うが、白レベルの最小値が２５％以下の異常が発生しているときにも行う。図７のＬＥＤ回路４１では、左右バランスは第１電流調整回路７１と第２電流調整回路７２との電流値に差を付けることで行う。また、左側か右側かの判断を行わずに、１回目は左側を暗くして調整し、２回目は右側を暗くして調整する。「1回目（左）１：２」の比率に関しては、左側の電流量を半分（パルス幅変調値ＰＷＭではトランジスタＴｒのベース−エミッタ電圧ＶＢＥ分を除いた半分）にして調整する。ただし、トランジスタＴｒのベース−エミッタ電圧ＶＢＥ分は予めＥＥＰＲＯＭ４５等に記憶しておく。ステップＳ１１１の後、ＣＰＵ５０は、ステップＳ１０７に制御を戻す。
【００７４】
白レベルの全領域が２５％以上の出力を示していることが確認されるか（図１０のＳ１０９：ＹＥＳ）、左右バランス設定（図１０のＳ１１１）をすでに２回行った場合には（図１０のＳ１１０：３回目）、ＣＰＵ５０は、調整パルス幅変調値ＰＷＭorg，および調整デューティ値ＤＵＴＹorg（Ｒ，Ｇ，Ｂ）の各調整値を出力する。
【００７５】
実施例１によれば、一方のＬＥＤランプ２６ａおよび他方のＬＥＤランプ２６ｂに流れる電流をＬＥＤランプ２６ａ，２６ｂ毎に制御することができるとともに、一方のＬＥＤランプ２６ａおよび他方のＬＥＤランプ２６ｂに含まれる赤のＬＥＤチップ２７Ｒ，２８Ｒと、一方のＬＥＤランプ２６ａおよび他方のＬＥＤランプ２６ｂに含まれる緑のＬＥＤチップ２７Ｇ，２８Ｇと、一方のＬＥＤランプ２６ａおよび他方のＬＥＤランプ２６ｂに含まれる青のＬＥＤチップ２７Ｂ，２８Ｂとを別々にオン／オフ制御することができる。
【実施例２】
【００７６】
図１１は、本発明の実施例２に係る画像読取装置１０におけるＬＥＤ回路４１の電気的構成を示す回路図である。ＬＥＤ回路４１は、ＰＷＭ信号が入力される第１電流調整回路７１と、第１電流調整回路７１にアノードが接続された左のＬＥＤランプ２６ａに含まれるＬＥＤチップ２７Ｒ，２７Ｇ，２７Ｂと、ＰＷＭ信号が入力される第２電流調整回路７２と、第２電流調整回路７２にアノードが接続された右のＬＥＤランプ２６ａに含まれるＬＥＤチップ２８Ｒ，２８Ｇ，２８Ｂと、ＬＥＤチップ２７Ｒのカソードにコレクタが接続されたＮＰＮ型の制御トランジスタ８１と、ＬＥＤチップ２７Ｇのカソードにコレクタが接続されたＮＰＮ型の制御トランジスタ８２と、ＬＥＤチップ２７Ｂのカソードにコレクタが接続されたＮＰＮ型の制御トランジスタ８３と、ＬＥＤチップ２８Ｒのカソードにコレクタが接続されたＮＰＮ型の制御トランジスタ８４と、ＬＥＤチップ２８Ｇのカソードにコレクタが接続されたＮＰＮ型の制御トランジスタ８５と、ＬＥＤチップ２８Ｂのカソードにコレクタが接続されたＮＰＮ型の制御トランジスタ８６とから構成されている。第１電流調整回路７１および第２電流調整回路７２は、＋１２Ｖの電源およびグラウンドに接続されている。制御トランジスタ８１，８２，８３，８４，８５，８６のベースに制御信号が入力され、エミッタはグラウンドに接続されている。
【００７７】
図１２は、本実施例２に係る画像読取装置１０における各色光量調整処理（図９のＳ３）を示すフローチャートである。
【００７８】
なお、その他の特に言及しない部分は、実施例１に係る画像読取装置１０における対応部分と同様に構成されているので、それらの詳細な説明は割愛する。
【００７９】
次に、このように構成された実施例２に係る画像読取装置１０の動作について、実施例１に係る画像読取装置１０と異なる点を中心に説明する。
【００８０】
各色光量調整処理（図９のＳ３）では、まず、ＣＰＵ５０は、ＥＥＰＲＯＭ４５から調整オフセット値ＯＦＦＳＥＴorg，調整ゲイン値ＧＡＩＮorg，最大デューティ値ＤＵＴＹmax，初期パルス幅変調値ＰＷＭint，および最大パルス幅変調値ＰＷＭmaxcolorの各設定値を入力する（図１２のＳ２０１）。
【００８１】
次に、ＣＰＵ５０は、ＡＦＥ制御ブロック５６を通じて、調整オフセット値ＯＦＦＳＥＴorgをオフセット回路６２のオフセット値ＯＦＦＳＥＴに、調整ゲイン値ＧＡＩＮorgをゲイン調整回路６１のゲイン値ＧＡＩＮにセットすることにより、ＡＦＥ４３を設定する（図１２のＳ２０２）。
【００８２】
続いて、ＣＰＵ５０は、ＰＷＭ波形生成ブロック５３を通じて、各色共通の最大デューティ値ＤＵＴＹmaxを、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのデューティ値ＤＵＴＹに設定する（図１２のＳ２０３）。
【００８３】
次に、ＣＰＵ５０は、ＰＷＭ波形生成ブロック５３を通じて、初期パルス幅変調値ＰＷＭintを、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭに設定する（図１２のＳ２０４）。
【００８４】
続いて、ＣＰＵ５０は、ＰＷＭ波形生成ブロック５３を通じて、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭを、各色のＬＥＤチップ２７Ｒ，２７Ｇ，２７ＢおよびＬＥＤチップ２８Ｒ，２８Ｇ，２８Ｂの仮パルス幅変調値ＰＷＭpro（Ｒ，Ｇ，Ｂ）に調整する（図１２のＳ２０５）。詳しくは、Ａ／Ｄ変換回路６４にてオーバーフロー画素数＝ゼロになるようにＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭを調整する。詳しくは、パルス幅変調値ＰＷＭを各色のＬＥＤチップ２７Ｒ，２７Ｇ，２７ＢおよびＬＥＤチップ２８Ｒ，２８Ｇ，２８Ｂの仮パルス幅変調値ＰＷＭpro（Ｒ，Ｇ，Ｂ）とする。ただし、パルス幅変調値ＰＷＭは、最大パルス幅変調値ＰＷＭmaxcolorまでである。
【００８５】
次に、ＣＰＵ５０は、ＰＷＭ波形生成ブロック５３を通じて、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭを決定する（図１２のＳ２０６）。詳しくは、各色のＬＥＤチップ２７Ｒ，２７Ｇ，２７ＢおよびＬＥＤチップ２８Ｒ，２８Ｇ，２８Ｂの調整パルス幅変調値ＰＷＭorgから最大値である最大仮パルス幅変調値ＰＷＭpromaxを選択し、最大仮パルス幅変調値ＰＷＭpromaxを調整パルス幅変調値ＰＷＭorgにセットする。
【００８６】
続いて、ＣＰＵ５０は、点灯タイミング調整ブロック５２を通じて、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのデューティ値ＤＵＴＹを、調整デューティ値ＤＵＴＹorg（Ｒ，Ｇ，Ｂ）に調整する（図１２のＳ２０７）。詳しくは、デューティ値ＤＵＴＹを調整デューティ値ＤＵＴＹorg（Ｒ，Ｇ，Ｂ）とする。ただし、デューティ値ＤＵＴＹは、最大デューティ値ＤＵＴＹmaxstartから００ｈまでである。
【００８７】
次に、ＣＰＵ５０は、画像処理ブロック５５のアンダーフロー画素検出用閾値を白レベルの２５％に設定する（図１２のＳ２０８）。
【００８８】
続いて、ＣＰＵ５０は、図９のステップＳ１でＣＩＳ回路４２（読取りヘッド１２）が白部材位置（ホームポジション）にあるので、ＣＩＳ回路４２からＡＦＥ４３を通じて画像処理ブロック５５により白部材の画像を読み取ることにより、白レベル（白レベルｍｉｎ＞２５％）を確認する（図１２のＳ２０９）。詳しくは、白レベルの全領域が２５％以上の出力を示しているかを判定する。
【００８９】
白レベルの全領域が２５％以上の出力を示していなければ（図１２のＳ２０９：ＮＯ）、ＣＰＵ５０は、１回目、２回目または３回目かを判定する（図１２のＳ２１０）。３回目であれば、ＣＰＵ５０は、ステップＳ２１２に制御を移す。
【００９０】
１回目、２回目であれば、ＣＰＵ５０は、ＰＷＭ波形生成ブロック５３を通じて、ＬＥＤ回路４１における左右のＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭのバランスを設定する（図１２のＳ２１１）。詳しくは、１回目（左）１：２、２回目（右）２：１というように、左右のＬＥＤ電流のバランスを変更する。この後、ＣＰＵ５０は、ステップＳ２０７に制御を戻す。
【００９１】
白レベルの全領域が２５％以上の出力を示していることが確認されるか（図１２のＳ９０９：ＹＥＳ）、左右バランス設定（図１２のＳ２１１）をすでに２回行った場合には（図１２のＳ２１０：３回目）、ＣＰＵ５０は、調整パルス幅変調値ＰＷＭorg，および調整デューティ値ＤＵＴＹorg（Ｒ，Ｇ，Ｂ）の各調整値を出力する（図１２のＳ２１２）。すなわち、各色ＤＵＴＹ調整ステップＳ２０７にて左のＬＥＤランプ２６ａは終了基準でデューティ調整をし、右のＬＥＤランプ２６ｂは先頭基準でデューティ調整をすることで実現し、その結果を調整デューティ値ＤＵＴＹorg（Ｒ，Ｇ，Ｂ）にて出力している。
【００９２】
図１３は、本実施例２に係る画像読取装置１０の動作を示すタイミングチャートである。ここでは、一方のＬＥＤランプ２６ａおよび他方のＬＥＤランプ２６ｂに流れる電流をＬＥＤランプ２６ａ，２６ｂ毎に制御することができるとともに、一方のＬＥＤランプ２６ａに含まれるＲ，Ｇ，ＢのＬＥＤチップ２７Ｒ，２７Ｇ，２７Ｂ，および他方のＬＥＤランプ２６ｂに含まれるＲ，Ｇ，ＢのＬＥＤチップ２８Ｒ，２８Ｇ，２８Ｂを、ＬＥＤチップ２７Ｒ，２７Ｇ，２７ＢおよびＬＥＤチップ２８Ｒ，２８Ｇ，２８Ｂ毎に独立してオン／オフ制御することができる。
【００９３】
図１４は、本実施例２に係る画像読取装置１０の効果を、従来の画像読取装置と比較して説明する図である。従来例では、ＬＥＤランプ２６ａ，２６ｂの点灯期間が副走査方向で見て一致しており、副走査方向の最小解像度分の送り量の範囲で副走査方向側に原稿Ｐが照明されない期間が生じ、画像読取装置１０による原稿読取時にその部分の画像データが欠落していたが、本実施例２によれば、ＬＥＤランプ２６ａは終了基準でデューティ調整をし、ＬＥＤランプ２６ｂは先頭基準でデューティ調整をすることにより、副走査方向の最小解像度分の送り量の範囲で副走査方向側に原稿Ｐが照明されない期間が生じないようにして、読取画像データの欠落を防止することができる。
【実施例３】
【００９４】
図１５は、本発明の実施例３に係る画像読取装置１０におけるＬＥＤ回路４１の電気的構成を示す回路図である。ＬＥＤ回路４１は、ＰＷＭ信号が入力される電流調整回路７０と、電流調整回路７０にアノードが接続された左のＬＥＤランプ２６ａに含まれるＬＥＤチップ２７Ｒ，２７Ｇ，２７Ｂと、電流調整回路７０にアノードが接続された右のＬＥＤランプ２６ａに含まれるＬＥＤチップ２８Ｒ，２８Ｇ，２８Ｂと、ＬＥＤチップ２７Ｒのカソードにコレクタが接続されたＮＰＮ型の制御トランジスタ８１と、ＬＥＤチップ２７Ｇのカソードにコレクタが接続されたＮＰＮ型の制御トランジスタ８２と、ＬＥＤチップ２７Ｂのカソードにコレクタが接続されたＮＰＮ型の制御トランジスタ８３と、ＬＥＤチップ２８Ｒのカソードにコレクタが接続されたＮＰＮ型の制御トランジスタ８４と、ＬＥＤチップ２８Ｇのカソードにコレクタが接続されたＮＰＮ型の制御トランジスタ８５と、ＬＥＤチップ２８Ｂのカソードにコレクタが接続されたＮＰＮ型の制御トランジスタ８６とから構成されている。電流調整回路７０は、＋１２Ｖの電源およびグラウンドに接続されている。制御トランジスタ８１，８２，８３，８４，８５，８６のベースに制御信号が入力され、エミッタはグラウンドに接続されている。
【００９５】
図１６は、本実施例３に係る画像読取装置１０における各色光量調整処理（図９のＳ３）を示すフローチャートである。
【００９６】
なお、その他の特に言及しない部分は、実施例１に係る画像読取装置１０における対応部分と同様に構成されているので、それらの詳細な説明は割愛する。
【００９７】
次に、このように構成された実施例３に係る画像読取装置１０の動作について、実施例１に係る画像読取装置１０と異なる点を中心に説明する。
【００９８】
各色光量調整処理（図９のＳ３）では、まず、ＣＰＵ５０は、ＥＥＰＲＯＭ４５から調整オフセット値ＯＦＦＳＥＴorg，調整ゲイン値ＧＡＩＮorg，最大デューティ値ＤＵＴＹmax，初期パルス幅変調値ＰＷＭint，および最大パルス幅変調値ＰＷＭmaxcolorの各設定値を入力する（図１６のＳ３０１）。
【００９９】
次に、ＣＰＵ５０は、ＡＦＥ制御ブロック５６を通じて、調整オフセット値ＯＦＦＳＥＴorgをオフセット回路６２のオフセット値ＯＦＦＳＥＴに、調整ゲイン値ＧＡＩＮorgをゲイン調整回路６１のゲイン値ＧＡＩＮにセットすることにより、ＡＦＥ４３を設定する（図１６のＳ３０２）。
【０１００】
続いて、ＣＰＵ５０は、ＰＷＭ波形生成ブロック５３を通じて、各色共通の最大デューティ値ＤＵＴＹmaxを、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのデューティ値ＤＵＴＹに設定する（図１６のＳ３０３）。
【０１０１】
次に、ＣＰＵ５０は、ＰＷＭ波形生成ブロック５３を通じて、初期パルス幅変調値ＰＷＭintを、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭに設定する（図１６のＳ３０４）。
【０１０２】
続いて、ＣＰＵ５０は、ＰＷＭ波形生成ブロック５３を通じて、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭを、各色のＬＥＤチップ２７Ｒ，２７Ｇ，２７ＢおよびＬＥＤチップ２８Ｒ，２８Ｇ，２８Ｂの仮パルス幅変調値ＰＷＭpro（Ｒ，Ｇ，Ｂ）に調整する（図１６のＳ３０５）。詳しくは、Ａ／Ｄ変換回路６４にてオーバーフロー画素数＝ゼロになるようにＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭを調整する。ただし、パルス幅変調値ＰＷＭ＝ＰＷＭmaxまでである。
【０１０３】
次に、ＣＰＵ５０は、ＰＷＭ波形生成ブロック５３を通じて、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭを決定する（図１６のＳ３０６）。詳しくは、各色のＬＥＤチップ２７Ｒ，２７Ｇ，２７ＢおよびＬＥＤチップ２８Ｒ，２８Ｇ，２８Ｂの調整パルス幅変調値ＰＷＭorgから最大値である最大仮パルス幅変調値ＰＷＭpromaxを選択し、最大仮パルス幅変調値ＰＷＭpromaxを調整パルス幅変調値ＰＷＭorgとする。
【０１０４】
続いて、ＣＰＵ５０は、点灯タイミング調整ブロック５２を通じて、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのデューティ値ＤＵＴＹを、調整デューティ値ＤＵＴＹorg（Ｒ，Ｇ，Ｂ）に調整する（図１６のＳ３０７）。詳しくは、Ａ／Ｄ変換回路６４にてオーバーフロー画素数＝ゼロになるようにＬＥＤ回路４１のデューティ値ＤＵＴＹを調整する。ただし、デューティ値ＤＵＴＹ＝００ｈから最大デューティ値ＤＵＴＹmaxまでである。
【０１０５】
次に、ＣＰＵ５０は、画像処理ブロック５５のアンダーフロー画素検出用閾値を白レベルの２５％に設定する（図１６のＳ３０８）。
【０１０６】
続いて、ＣＰＵ５０は、図９のステップＳ１でＣＩＳ回路４２（読取りヘッド１２）が白部材位置（ホームポジション）にあるので、ＣＩＳ回路４２からＡＦＥ４３を通じて画像処理ブロック５５により白部材の画像を読み取ることにより、白レベル（白レベルｍｉｎ＞２５％）を確認する（図１６のＳ３０９）。詳しくは、白レベルの全領域が２５％以上の出力を示しているかを判定する。
【０１０７】
白レベルの全領域が２５％以上の出力を示していなければ（図１６のＳ３０９：ＮＯ）、ＣＰＵ５０は、１回目、２回目または３回目かを判定する（図１６のＳ３１０）。３回目であれば、ＣＰＵ５０は、ステップＳ３１２に制御を移す。
【０１０８】
１回目または２回目であれば、ＣＰＵ５０は、ＰＷＭ波形生成ブロック５３を通じて、ＬＥＤ回路４１における左右のＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭのバランスを設定する（図１６のＳ３１１）。詳しくは、１回目（左）１：２、２回目（右）２：１というように、左右のＬＥＤ電流のバランスを変更することにより、左右バランスを設定する。この後、ＣＰＵ５０は、制御をステップＳ３０７に戻す。
【０１０９】
白レベルの全領域が２５％以上の出力を示していることが確認されるか（図１６のＳ３０９：ＹＥＳ）、左右バランス設定（図１６のＳ３１１）をすでに２回行った場合には（図１６のＳ３１０：３回目）、ＣＰＵ５０は、調整パルス幅変調値ＰＷＭorg，および調整デューティ値ＤＵＴＹorg（Ｒ，Ｇ，Ｂ）を各調整値として出力する（図１６のＳ３１２）。
【０１１０】
実施例３によれば、一方のＬＥＤランプ２６ａおよび他方のＬＥＤランプ２６ｂに流れる電流を一括して制御することができるとともに、一方のＬＥＤランプ２６ａに含まれるＲ，Ｇ，ＢのＬＥＤチップ２７Ｒ，２７Ｇ，２７Ｂ，および他方のＬＥＤランプ２６ｂに含まれるＲ，Ｇ，ＢのＬＥＤチップ２８Ｒ，２８Ｇ，２８Ｂを、ＬＥＤチップ２７Ｒ，２７Ｇ，２７Ｂ，およびＬＥＤチップ２８Ｒ，２８Ｇ，２８Ｂ毎に独立してオン／オフ制御することができる。このため、ＬＥＤランプ２６ａは終了基準でデューティ調整をし、ＬＥＤランプ２６ｂは先頭基準でデューティ調整をすることにより、副走査方向の最小解像度分の送り量の範囲で副走査方向側に原稿が照明されない期間が生じないようにして、読取画像データの欠落を防止することができる。
【実施例４】
【０１１１】
図１７は、本発明の実施例４に係る画像読取装置１０におけるＬＥＤ回路４１の電気的構成を示す回路図である。ＬＥＤ回路４１は、ＰＷＭ信号が入力される第１電流調整回路７１と、第１電流調整回路７１にアノードが接続されたＬＥＤチップ２７Ｒおよび２８Ｒと、ＰＷＭ信号が入力される第２電流調整回路７２と、第２電流調整回路７２にアノードが接続されたＬＥＤチップ２７Ｇおよび２８Ｇと、ＰＷＭ信号が入力される第３電流調整回路７３と、第３電流調整回路７３にアノードが接続されたＬＥＤチップ２７Ｂおよび２８Ｂと、ＬＥＤチップ２７Ｒ，２７Ｇ，２７Ｂのカソードにコレクタが接続されたＮＰＮ型の制御トランジスタ８７と、ＬＥＤチップ２８Ｒ，２８Ｇ，２８Ｂのカソードにコレクタが接続されたＮＰＮ型の制御トランジスタ８８とから構成されている。第１電流調整回路７１，第２電流調整回路７２および第３電流調整回路７３は、＋１２Ｖの電源およびグラウンドに接続されている。制御トランジスタ８７，８８のベースに制御信号が入力され、エミッタはグラウンドに接続されている。
【０１１２】
図１８は、本実施例４に係る画像読取装置１０における各色光量調整処理（図９のＳ３）を示すフローチャートである。
【０１１３】
なお、その他の特に言及しない部分は、実施例１に係る画像読取装置１０における対応部分と同様に構成されているので、それらの詳細な説明は割愛する。
【０１１４】
次に、このように構成された実施例４に係る画像読取装置１０の動作について、実施例１に係る画像読取装置１０と異なる点を中心に説明する。
【０１１５】
各色光量調整処理（図９のＳ３）では、まず、ＣＰＵ５０は、ＥＥＰＲＯＭ４５から調整オフセット値ＯＦＦＳＥＴorg，調整ゲイン値ＧＡＩＮorg，最大デューティ値ＤＵＴＹmax，初期パルス幅変調値ＰＷＭint，および最大パルス幅変調値ＰＷＭmaxcolorの各設定値を入力する（図１８のＳ４０１）。
【０１１６】
次に、ＣＰＵ５０は、ＡＦＥ制御ブロック５６を通じて、調整オフセット値ＯＦＦＳＥＴorgをオフセット回路６２のオフセット値ＯＦＦＳＥＴに、調整ゲイン値ＧＡＩＮorgをゲイン調整回路６１のゲイン値ＧＡＩＮにセットすることにより、ＡＦＥ４３を設定する（図１８のＳ４０２）。
【０１１７】
続いて、ＣＰＵ５０は、ＰＷＭ波形生成ブロック５３を通じて、左右のＬＥＤランプ２６ａ，２６ｂ共通の最大デューティ値ＤＵＴＹmaxを、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのデューティ値ＤＵＴＹに設定する（図１８のＳ４０３）。
【０１１８】
次に、ＣＰＵ５０は、ＰＷＭ波形生成ブロック５３を通じて、各色共通の初期パルス幅変調値ＰＷＭintを、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭに設定する（図１８のＳ４０４）。
【０１１９】
続いて、ＣＰＵ５０は、ＰＷＭ波形生成ブロック５３を通じて、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭを、各色のＬＥＤチップ２７Ｒ，２７Ｇ，２７ＢおよびＬＥＤチップ２８Ｒ，２８Ｇ，２８Ｂの調整パルス幅変調値ＰＷＭorg（Ｒ，Ｇ，Ｂ）に調整する（図１８のＳ４０５）。詳しくは、Ａ／Ｄ変換回路６４にてオーバーフロー画素数＝ゼロになるようにＬＥＤランプ２６ａ，２６ｂの各色のＬＥＤチップ２７Ｒ，２７Ｇ，２７ＢおよびＬＥＤチップ２８Ｒ，２８Ｇ，２８Ｂの調整パルス幅変調値ＰＷＭＰＷＭorg（Ｒ，Ｇ，Ｂ）を調整する。ただし、パルス幅変調値ＰＷＭは、最大パルス幅変調値ＰＷＭmaxcolorまでである。
【０１２０】
次に、ＣＰＵ５０は、画像処理ブロック５５のアンダーフロー画素検出用閾値を白レベルの２５％に設定する（図１８のＳ４０６）。
【０１２１】
続いて、ＣＰＵ５０は、図９のステップＳ１でＣＩＳ回路４２（読取りヘッド１２）が白部材位置（ホームポジション）にあるので、ＣＩＳ回路４２からＡＦＥ４３を通じて画像処理ブロック５５により白部材の画像を読み取ることにより、白レベル（白レベルｍｉｎ＞２５％）を確認する（図１８のＳ４０７）。詳しくは、白レベルの全領域が２５％以上の出力を示しているかを判定する。
【０１２２】
白レベルの全領域が２５％以上の出力を示していなければ（図１８のＳ４０７：ＮＯ）、ＣＰＵ５０は、１回目、２回目または３回目かを判定する（図１８のＳ４０８）。
【０１２３】
１回目または２回目であれば、ＣＰＵ５０は、ＰＷＭ波形生成ブロック５３を通じて、ＬＥＤ回路４１における左右のＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭのバランスを設定する（図１８のＳ４０９）。詳しくは、１回目（左）１：２、２回目（右）２：１というように、左右のＬＥＤ電流のバランスを変更する。この後、ＣＰＵ５０は、制御をステップＳ４０５に戻す。
【０１２４】
白レベルの全領域が２５％以上の出力を示していることが確認されるか（図１８のＳ４０７：ＹＥＳ）、左右バランス設定（図１８のＳ４０９）をすでに２回行った場合には（図１８のＳ４０８：３回目）、ＣＰＵ５０は、調整パルス幅変調値ＰＷＭorg（Ｒ，Ｇ，Ｂ）、調整デューティ値ＤＵＴＹorgの各調整値を出力する（図１８のＳ４１０）。
【０１２５】
実施例４によれば、一方のＬＥＤランプ２６ａに含まれる赤のＬＥＤチップ２７Ｒおよび他方のＬＥＤランプ２６ｂに含まれる赤のＬＥＤチップ２８Ｒ，一方のＬＥＤランプ２６ａに含まれる緑のＬＥＤチップ２７Ｇおよび他方のＬＥＤランプ２６ｂに含まれる緑のＬＥＤチップ２８Ｇ，ならびに一方のＬＥＤランプ２６ａに含まれる青のＬＥＤチップ２７Ｂおよび他方のＬＥＤランプ２６ｂに含まれる青のＬＥＤチップ２８Ｂに流れる電流を色毎に制御することができるとともに、一方のＬＥＤランプ２６ａに含まれる赤，緑，青のＬＥＤチップ２７Ｒ，２７Ｇ，２７Ｂ，および他方のＬＥＤランプ２６ｂに含まれる赤，緑，青のＬＥＤチップ２８Ｒ，２８Ｇ，２８Ｂを、ＬＥＤランプ２６ａ，２６ｂ毎にオン／オフ制御することができる。このため、一方のＬＥＤランプ２６ａは終了基準でデューティ調整をし、他方のＬＥＤランプ２６ｂは先頭基準でデューティ調整をすることにより、副走査方向の最小解像度分の送り量の範囲で副走査方向側に原稿が照明されない期間が生じないようにして、読取画像データの欠落を防止することができる。
【実施例５】
【０１２６】
図１９は、本発明の実施例５に係る画像読取装置１０におけるＬＥＤ回路４１の電気的構成を示す回路図である。ＬＥＤ回路４１は、ＰＷＭ信号が入力される第１電流調整回路７１と、第１電流調整回路７１にアノードが接続されたＬＥＤチップ２７Ｒと、ＰＷＭ信号が入力される第２電流調整回路７２と、第２電流調整回路７２にアノードが接続されたＬＥＤチップ２７Ｇと、ＰＷＭ信号が入力される第３電流調整回路７３と、第３電流調整回路７３にアノードが接続されたＬＥＤチップ２７Ｂと、ＰＷＭ信号が入力される第４電流調整回路７４と、第４電流調整回路７４にアノードが接続されたＬＥＤチップ２８Ｒと、ＰＷＭ信号が入力される第５電流調整回路７５と、第５電流調整回路７５にアノードが接続されたＬＥＤチップ２８Ｇと、ＰＷＭ信号が入力される第６電流調整回路７６と、第６電流調整回路７６にアノードが接続されたＬＥＤチップ２８Ｂと、ＬＥＤチップ２７Ｒ，２７Ｇ，２７Ｂのカソードにコレクタが接続されたＮＰＮ型の制御トランジスタ８７と、ＬＥＤチップ２８Ｒ，２８Ｇ，２８Ｂのカソードにコレクタが接続されたＮＰＮ型の制御トランジスタ８８とから構成されている。第１電流調整回路７１，第２電流調整回路７２および第３電流調整回路７３，第４電流調整回路７４，第５電流調整回路７５および第６電流調整回路７６は、＋１２Ｖの電源およびグラウンドに接続されている。制御トランジスタ８７，８８のベースに制御信号が入力され、エミッタはグラウンドに接続されている。
【０１２７】
図２０は、本実施例５に係る画像読取装置１０における各色光量調整処理（図９のＳ３）を示すフローチャートである。
【０１２８】
なお、その他の特に言及しない部分は、実施例１に係る画像読取装置１０における対応部分と同様に構成されているので、それらの詳細な説明は割愛する。
【０１２９】
次に、このように構成された実施例５に係る画像読取装置１０の動作について、実施例１に係る画像読取装置１０と異なる点を中心に説明する。
【０１３０】
各色光量調整処理（図９のＳ３）では、まず、ＣＰＵ５０は、ＥＥＰＲＯＭ４５から調整オフセット値ＯＦＦＳＥＴorg，調整ゲイン値ＧＡＩＮorg，最大デューティ値ＤＵＴＹmax，初期パルス幅変調値ＰＷＭint，および最大パルス幅変調値ＰＷＭmaxcolorの各設定値を入力する（図２０のＳ５０１）。
【０１３１】
次に、ＣＰＵ５０は、ＡＦＥ制御ブロック５６を通じて、調整オフセット値ＯＦＦＳＥＴorgをオフセット回路６２のオフセット値ＯＦＦＳＥＴに、調整ゲイン値ＧＡＩＮorgをゲイン調整回路６１のゲイン値ＧＡＩＮにセットすることにより、ＡＦＥ４３を設定する（図２０のＳ５０２）。
【０１３２】
続いて、ＣＰＵ５０は、ＰＷＭ波形生成ブロック５３を通じて、左右のＬＥＤランプ２６ａ，２６ｂ共通の最大デューティ値ＤＵＴＹmaxを、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのデューティ値ＤＵＴＹに設定する（図２０のＳ５０３）。
【０１３３】
次に、ＣＰＵ５０は、ＰＷＭ波形生成ブロック５３を通じて、各色共通の初期パルス幅変調値ＰＷＭintを、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭに設定する（図２０のＳ５０４）。
【０１３４】
続いて、ＣＰＵ５０は、ＰＷＭ波形生成ブロック５３を通じて、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭを、各色のＬＥＤチップ２７Ｒ，２７Ｇ，２７ＢおよびＬＥＤチップ２８Ｒ，２８Ｇ，２８Ｂの調整パルス幅変調値ＰＷＭＰＷＭorg（Ｒ，Ｇ，Ｂ）に調整する（図２０のＳ５０５）。詳しくは、Ａ／Ｄ変換回路６４にてオーバーフロー画素数＝ゼロになるようにＬＥＤランプ２６ａ，２６ｂの各色のＬＥＤチップ２７Ｒ，２７Ｇ，２７ＢおよびＬＥＤチップ２８Ｒ，２８Ｇ，２８Ｂの調整パルス幅変調値ＰＷＭＰＷＭorg（Ｒ，Ｇ，Ｂ）を調整する。ただし、パルス幅変調値ＰＷＭは、最大パルス幅変調値ＰＷＭmaxcolorまでである。
【０１３５】
次に、ＣＰＵ５０は、画像処理ブロック５５のアンダーフロー画素検出用閾値を白レベルの２５％に設定する（図２０のＳ５０６）。
【０１３６】
続いて、ＣＰＵ５０は、図９のステップＳ１でＣＩＳ回路４２（読取りヘッド１２）が白部材位置（ホームポジション）にあるので、ＣＩＳ回路４２からＡＦＥ４３を通じて画像処理ブロック５５により白部材の画像を読み取ることにより、白レベル（白レベルｍｉｎ＞２５％）を確認する（図２０のＳ５０７）。詳しくは、白レベルの全領域が２５％以上の出力を示しているかを判定する。
【０１３７】
白レベルの全領域が２５％以上の出力を示していなければ（図２０のＳ５０７：ＮＯ）、ＣＰＵ５０は、３回目かを判定する（図２０のＳ５０８）。３回目であれば、ＣＰＵ５０は、ステップＳ５１０に制御を移す。
【０１３８】
１回目または２回目であれば、ＣＰＵ５０は、ＰＷＭ波形生成ブロック５３を通じて、ＬＥＤ回路４１における左右のＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭのバランスを設定する（図２０のＳ５０９）。詳しくは、１回目（左）２６ａ，２６ｂ、２回目（右）２：１というように、左右のＬＥＤ電流のバランス（ＬＥＤ１，２のパルス幅変調値ＰＷＭのバランス）を変更する。この後、ＣＰＵ５０は、制御をステップＳ５０５に戻す。
【０１３９】
白レベルの全領域が２５％以上の出力を示していることが確認されるか（図２０のＳ５０７：ＹＥＳ）、左右バランス設定（図２０のＳ５０９）をすでに２回行った場合には（図２０のＳ５０８：３回目）、ＣＰＵ５０は、調整パルス幅変調値ＰＷＭorg（Ｒ，Ｇ，Ｂ），および調整デューティ値ＤＵＴＹorgの各調整値を出力する（図２０のＳ５１０）。
【０１４０】
実施例５によれば、一方のＬＥＤランプ２６ａに含まれるＲ，Ｇ，ＢのＬＥＤチップ２７Ｒ，２７Ｇ，２７Ｂ，および他方のＬＥＤランプ２６ｂに含まれるＲ，Ｇ，ＢのＬＥＤチップ２８Ｒ，２８Ｇ，２８Ｂに流れる電流をＬＥＤチップ２７Ｒ，２７Ｇ，２７ＢおよびＬＥＤチップ２８Ｒ，２８Ｇ，２８Ｂ毎に制御することができるとともに、一方のＬＥＤランプ２６ａに含まれるＲ，Ｇ，ＢのＬＥＤチップ２７Ｒ，２７Ｇ，２７Ｂ，および他方のＬＥＤランプ２６ｂに含まれるＲ，Ｇ，ＢのＬＥＤチップ２８Ｒ，２８Ｇ，２８Ｂを、ＬＥＤランプ２６ａ，２６ｂ毎にオン／オフ制御することができる。このため、一方のＬＥＤランプ２６ａは終了基準でデューティ調整をし、他方のＬＥＤランプ２６ｂは先頭基準でデューティ調整をすることにより、副走査方向の最小解像度分の送り量の範囲で副走査方向側に原稿が照明されない期間が生じないようにして、読取画像データの欠落を防止することができる。
【実施例６】
【０１４１】
図２１は、本発明の実施例６に係る画像読取装置１０におけるＬＥＤ回路４１の電気的構成を示す回路図である。ＬＥＤ回路４１は、ＰＷＭ信号が入力される第１電流調整回路７１と、第１電流調整回路７１にアノードが接続されたＬＥＤチップ２７Ｒと、ＰＷＭ信号が入力される第２電流調整回路７２と、第２電流調整回路７２にアノードが接続されたＬＥＤチップ２７Ｇと、ＰＷＭ信号が入力される第３電流調整回路７３と、第３電流調整回路７３にアノードが接続されたＬＥＤチップ２７Ｂと、ＰＷＭ信号が入力される第４電流調整回路７４と、第４電流調整回路７４にアノードが接続されたＬＥＤチップ２８Ｒと、ＰＷＭ信号が入力される第５電流調整回路７５と、第５電流調整回路７５にアノードが接続されたＬＥＤチップ２８Ｇと、ＰＷＭ信号が入力される第６電流調整回路７６と、第６電流調整回路７６にアノードが接続されたＬＥＤチップ２８Ｂと、ＬＥＤチップ２７Ｒ，２７Ｇ，２７ＢおよびＬＥＤチップ２８Ｒ，２８Ｇ，２８Ｂのカソードにコレクタが接続されたＮＰＮ型の制御トランジスタ８９とから構成されている。第１電流調整回路７１，第２電流調整回路７２，第３電流調整回路７３，第４電流調整回路７４，第５電流調整回路７５および第６電流調整回路７６は、＋１２Ｖの電源およびグラウンドに接続されている。制御トランジスタ８９のベースに制御信号が入力され、エミッタはグラウンドに接続されている。
【０１４２】
図２２は、本実施例６に係る画像読取装置１０における各色光量調整処理（図９のＳ３）を示すフローチャートである。
【０１４３】
なお、その他の特に言及しない部分は、実施例１に係る画像読取装置１０における対応部分と同様に構成されているので、それらの詳細な説明は割愛する。
【０１４４】
次に、このように構成された実施例６に係る画像読取装置１０の動作について、実施例１に係る画像読取装置１０と異なる点を中心に説明する。
【０１４５】
各色光量調整処理（図９のＳ３）では、まず、ＣＰＵ５０は、ＥＥＰＲＯＭ４５から調整オフセット値ＯＦＦＳＥＴorg，調整ゲイン値ＧＡＩＮorg，最大デューティ値ＤＵＴＹmax，初期パルス幅変調値ＰＷＭint，および最大パルス幅変調値ＰＷＭmaxcolorの各設定値を入力する（図２２のＳ６０１）。
【０１４６】
次に、ＣＰＵ５０は、ＡＦＥ制御ブロック５６を通じて、調整オフセット値ＯＦＦＳＥＴorgをオフセット回路６２のオフセット値ＯＦＦＳＥＴに、調整ゲイン値ＧＡＩＮorgをゲイン調整回路６１のゲイン値ＧＡＩＮにセットすることにより、ＡＦＥ４３を設定する（図２２のＳ６０２）。
【０１４７】
続いて、ＣＰＵ５０は、ＰＷＭ波形生成ブロック５３を通じて、左右のＬＥＤランプ２６ａ，２６ｂ共通の最大デューティ値ＤＵＴＹmaxを、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのデューティ値ＤＵＴＹに設定する（図２２のＳ６０３）。
【０１４８】
次に、ＣＰＵ５０は、ＰＷＭ波形生成ブロック５３を通じて、各色共通の初期パルス幅変調値ＰＷＭintを、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭに設定する（図２２のＳ６０４）。
【０１４９】
続いて、ＣＰＵ５０は、ＰＷＭ波形生成ブロック５３を通じて、ＬＥＤ回路４１におけるＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭを、各色のＬＥＤチップ２７Ｒ，２７Ｇ，２７ＢおよびＬＥＤチップ２８Ｒ，２８Ｇ，２８Ｂの調整パルス幅変調値ＰＷＭorg（Ｒ，Ｇ，Ｂ）に調整する（図２２のＳ６０５）。詳しくは、詳しくは、Ａ／Ｄ変換回路６４にてオーバーフロー画素数＝ゼロになるようにＬＥＤランプ２６ａ，２６ｂの各色のＬＥＤチップ２７Ｒ，２７Ｇ，２７ＢおよびＬＥＤチップ２８Ｒ，２８Ｇ，２８Ｂの調整パルス幅変調値ＰＷＭＰＷＭorg（Ｒ，Ｇ，Ｂ）を調整する。ただし、パルス幅変調値ＰＷＭは、最大パルス幅変調値ＰＷＭmaxcolorまでである。
【０１５０】
次に、ＣＰＵ５０は、画像処理ブロック５５のアンダーフロー画素検出用閾値を白レベルの２５％に設定する（図２２のＳ６０６）。詳しくは、アンダーフロー画素検出用閾値を白レベルの２５％に設定する。
【０１５１】
続いて、ＣＰＵ５０は、図９のステップＳ１でＣＩＳ回路４２（読取りヘッド１２）が白部材位置（ホームポジション）にあるので、ＣＩＳ回路４２からＡＦＥ４３を通じて画像処理ブロック５５により白部材の画像を読み取ることにより、白レベル（白レベルｍｉｎ＞２５％）を確認する（図２２のＳ６０７）。詳しくは、白レベルの全領域が２５％以上の出力を示しているかを判定する。
【０１５２】
白レベルの全領域が２５％以上の出力を示していなければ（図２２のＳ６０７：ＮＯ）、ＣＰＵ５０は、１回目、２回目または３回目かを判定する（図２２のＳ６０８）。３回目であれば、ＣＰＵ５０は、ステップＳ６１０に制御を移す。
【０１５３】
１回目または２回目であれば、ＣＰＵ５０は、ＰＷＭ波形生成ブロック５３を通じて、ＬＥＤ回路４１における左右のＬＥＤランプ２６ａ，２６ｂの各色のＬＥＤチップ２７Ｒ，２７Ｇ，２７ＢおよびＬＥＤチップ２８Ｒ，２８Ｇ，２８Ｂのパルス幅変調値ＰＷＭのバランスを設定する（図２２のＳ６０９）。詳しくは、１回目（左）１：２、２回目（右）２：１というように、左右のＬＥＤ電流のバランスを変更する。この後、ＣＰＵ５０は、制御をステップＳ６０５に戻す。
【０１５４】
白レベルの全領域が２５％以上の出力を示していることが確認されるか（図２２のＳ６０７：ＹＥＳ）、左右バランス設定（図２０のＳ６０９）をすでに２回行った場合には（図２２のＳ６０８：３回目）、ＣＰＵ５０は、調整パルス幅変調値ＰＷＭorg（Ｒ，Ｇ，Ｂ），および調整デューティ値ＤＵＴＹorgの各調整値を出力する（図２２のＳ６１０）。
【０１５５】
実施例６によれば、一方のＬＥＤランプ２６ａに含まれるＲ，Ｇ，ＢのＬＥＤチップ２７Ｒ，２７Ｇ，２７Ｂ，および他方のＬＥＤランプ２６ｂに含まれるＲ，Ｇ，ＢのＬＥＤチップ２８Ｒ，２８Ｇ，２８Ｂに流れる電流をＬＥＤチップ２７Ｒ，２７Ｇ，２７ＢおよびＬＥＤチップ２８Ｒ，２８Ｇ，２８Ｂ毎に制御することができるとともに、一方のＬＥＤランプ２６ａに含まれるＲ，Ｇ，ＢのＬＥＤチップ２７Ｒ，２７Ｇ，２７Ｂおよび他方のＬＥＤランプ２６ｂに含まれるＲ，Ｇ，ＢのＬＥＤチップ２６ｂを一括してオン／オフ制御することができる。
【０１５６】
以上、本発明の各実施例を説明したが、これらはあくまでも例示にすぎず、本発明はこれらに限定されるものではなく、特許請求の範囲の趣旨を逸脱しない限りにおいて、当業者の知識に基づく種々の変更が可能である。
【図面の簡単な説明】
【０１５７】
【図１】本発明の実施例１に係る画像読取装置が組み込まれた複合機の外観図。
【図２】本実施例１に係る画像読取装置を示す断面図。
【図３】本実施例１に係る画像読取装置の構成図。
【図４】図３の画像読取装置の要部構成図。
【図５】図３および図４中のＬＥＤランプの構成図。
【図６】本実施例１に係る画像読取装置の電気的な構成を示す回路ブロック図。
【図７】図６中のＬＥＤ回路の電気的構成を示す回路図。
【図８】図７中の電流調整回路をさらに詳細に示す図。
【図９】本実施例１に係る画像読取装置のメイン読取制御処理を示すフローチャート。
【図１０】図９中の各色光量調整処理を示すフローチャート。
【図１１】本実施例２に係る画像読取装置におけるＬＥＤ回路の電気的構成を示す回路図。
【図１２】本実施例２に係る画像読取装置における各色光量調整処理を示すフローチャート。
【図１３】本実施例２に係る画像読取装置の動作を示すタイミングチャート。
【図１４】本実施例２に係る画像読取装置の効果を、従来の画像読取装置と比較して説明する図。
【図１５】本実施例３に係る画像読取装置におけるＬＥＤ回路の電気的構成を示す回路図。
【図１６】本実施例３に係る画像読取装置における各色光量調整処理を示すフローチャート。
【図１７】本実施例４に係る画像読取装置におけるＬＥＤ回路の電気的構成を示す回路図。
【図１８】本実施例４に係る画像読取装置における各色光量調整処理を示すフローチャート。
【図１９】本実施例５に係る画像読取装置におけるＬＥＤ回路の電気的構成を示す回路図。
【図２０】本実施例５に係る画像読取装置における各色光量調整処理を示すフローチャート。
【図２１】本実施例６に係る画像読取装置におけるＬＥＤ回路の電気的構成を示す回路図。
【図２２】本実施例６に係る画像読取装置における各色光量調整処理を示すフローチャート。
【図２３】従来の画像読取装置の動作を示すタイミングチャート。
【符号の説明】
【０１５８】
１０  画像読取装置
１２  読取ヘッド
２２  ＣＩＳ
２４  等倍光学系
２５  導光部材
２６ａ，２６ｂ  ＬＥＤランプ
２１  基板
２７Ｒ，２７Ｇ，２７Ｂ  ＬＥＤチップ
２８Ｒ，２８Ｇ，２８Ｂ  ＬＥＤチップ
４０  ＡＳＩＣ
４１  ＬＥＤ回路
４２  ＣＩＳ回路
４３  ＡＦＥ
４４  ＲＯＭ
４５  ＥＥＰＲＯＭ
５０  ＣＰＵ
５１  ＲＡＭ
５２  点灯タイミング調整ブロック
５３  ＰＷＭ波形生成ブロック
５５  画像処理ブロック
５６  ＡＦＥ制御ブロック
５７  バス
６１  ゲイン調整回路
６２  オフセット回路
６３  加算回路
６４  Ａ／Ｄ変換回路
７０〜７６  電流調整回路
８１〜８９  制御トランジスタ（制御スイッチ素子）
【図１】
2007194817.tif 000003
【図２】
2007194817.tif 000004
【図３】
2007194817.tif 000005
【図４】
2007194817.tif 000006
【図５】
2007194817.tif 000007
【図６】
2007194817.tif 000008
【図７】
2007194817.tif 000009
【図８】
2007194817.tif 000010
【図９】
2007194817.tif 000011
【図１０】
2007194817.tif 000012
【図１１】
2007194817.tif 000013
【図１２】
2007194817.tif 000014
【図１３】
2007194817.tif 000015
【図１４】
2007194817.tif 000016
【図１５】
2007194817.tif 000017
【図１６】
2007194817.tif 000018
【図１７】
2007194817.tif 000019
【図１８】
2007194817.tif 000020
【図１９】
2007194817.tif 000021
【図２０】
2007194817.tif 000022
【図２１】
2007194817.tif 000023
【図２２】
2007194817.tif 000024
【図２３】
2007194817.tif 000025